(57)【要約】  本発明は通信分野に関し、とくにアップリンク制御情報の伝送方法及び装置に関する。当該方法は、端末がアップリンク制御情報を伝送するリソースを決定し、前記リソースは、時間領域に占有されるリソース及び周波数領域に占有されるリソースを含み、ここで、前記時間領域に占有されるリソースの長さが１ｍｓより小さい，そして、端末は決定されたリソースにおいてアップリンク制御情報を伝送する。こうして、短縮されたＴＴＩに対し（即ち、shortened ＴＴＩ），アップリンク制御情報の伝送案を提供し、アップリンク制御情報の通常のフィードバックをサポートし、システム性能を確保する。
2019510393.tif 000002
【特許請求の範囲】
【請求項１】
端末がアップリンク制御情報を伝送するリソースを決定するステップであって、前記リソースは、時間領域に占有されるリソース及び周波数領域に占有されるリソースを含み、前記時間領域に占有されるリソースの長さが１ｍｓより小さい前記決定ステップと、
前記端末は決定されたリソースにおいてアップリンク制御情報を伝送するステップと
を備えることを特徴とするアップリンク制御情報の伝送方法。
【請求項２】
端末により決定されたアップリンク制御情報を伝送するリソースにおいて、周波数領域に占有されるリソースのサイズはサブキャリアＳＣ数により示され、または、リソースエレメントＲＥ数で示され、またはリソースユニット（ＲＵ）数で示され、ここで、ＲＵで示される場合、ＲＵは、事前に定義した時間領域においてＸ１個のシンボルを占有し、周波数領域においてＸ２個のＳＣまたはＲＥを占有するリソース領域であり、前記Ｘ２個のＳＣまたはＲＥは連続であるか非連続であり、前記Ｘ１及びＸ２は事前に定義されたものであるか設定されたものであり、Ｘ１、Ｘ２は０より大きい整数であり、
端末により決定されたアップリンク制御情報を伝送するリソースにおいて、前記時間領域に占有されるリソースのサイズはシンボル数または期間長で示されることを特徴とする請求項１に記載のアップリンク制御情報の伝送方法。
【請求項３】
端末は、前記周波数領域に占有されるリソースのサイズを、固定的に設定したＡ１個のＳＣ、または、Ａ２個のＲＥ、またはＡ３個のＲＵとして決定し、ここで、Ａ１、Ａ２、Ａ３は０より大きい整数であり、または、端末は、シグナリング通知により、前記周波数領域に占有されるリソースのサイズを決定し、また、端末は、事前約定により前記周波数領域に占有されたソース位置を決定し、または、端末は、シグナリング通知により前記周波数領域に占有されるリソース位置を決定し、
端末は、前記時間領域に占有されるリソースのサイズを固定的に設定したＢ１個のシンボルまたはＢ２ｍｓに決定し、前記Ｂ１は０より大きい整数であり、Ｂ２は１より小さい小数であり、または、端末は、シグナリング通知により時間領域に占有されるリソースのサイズを決定し、また、端末は、事前約定により前記時間領域に占有されたソース位置を決定し、または、端末は、シグナリング通知により前記時間領域に占有されるリソース位置を決定することを特徴とする請求項１または請求項２に記載のアップリンク制御情報の伝送方法。
【請求項４】
前記端末がアップリンク制御情報を伝送するリソースを決定するのは、
前記端末は、ダウンリンク・グラント・シグナリング（ＤＬ ｇｒａｎｔ）の通知によりアップリンク制御情報を伝送するリソースを決定し、前記ＤＬ ｇｒａｎｔに用いられるダウンリンク制御情報（ＤＣＩ）内の指示フィールドは、高位層シグナリングにより事前に設定した複数のリソース集合のうちの１つを示し、または、
前記端末は、アップリンク・グラント・シグナリング（ＵＬ ｇｒａｎｔ）の通知によりアップリンク制御情報を伝送するリソースを決定し、前記ＵＬ ｇｒａｎｔに用いられるＤＣＩ内の第１指示フィールドは周波数領域に占有されるリソースのサイズ及び位置を示し、第２指示フィールドは少なくとも時間領域に占有されるリソースのサイズを示し、または、
前記端末は、高位層シグナリングの通知によりアップリンク制御情報を伝送するリソースを決定し、前記高位層シグナリングにより少なくとも１つのリソース集合を設定し、２つ以上のリソース集合を設定する場合、端末はそのうちの１つのリソース集合を選出することを特徴とする請求項１、請求項２または請求項３に記載のアップリンク制御情報の伝送方法。
【請求項５】
前記第２指示フィールドは、さらに、時間領域に占有されるリソース位置を示し、または、
時間領域に占有されるリソース位置は事前約定された位置であることを特徴とする請求項４に記載のアップリンク制御情報の伝送方法。
【請求項６】
前記リソース集合の設定は以下とおりであり、
リソース集合ごとに、周波数領域に占有されるリソースのサイズ、位置及び時間領域に占有されるリソースのサイズが含まれ、ここで、異なるリソース集合内の周波数領域に占有されたリソースのサイズ同様であるか異なり、及び/または、異なるリソース集合内の時間領域に占有されるリソースのサイズは同様であるか異なり、または、
周波数領域に占有されるリソースのサイズは端末側とネットワーク側の交渉により決めた固定値であり、リソース集合ごとに、周波数領域に占有されるリソース位置及び時間領域に占有されるリソースのサイズが含まれ、ここで、異なるリソース集合内の時間領域に占有されるリソースのサイズは同様であるか異なり、または、
時間領域に占有されるリソースのサイズは端末側とネットワーク側の交渉により決めた固定値であり、リソース集合ごとに、周波数領域に占有されるリソースのサイズ及び位置が含まれ、ここで、異なるリソース集合内の周波数領域に占有されるリソースのサイズは同様であるか異なり、または、
時間領域に占有されるリソースのサイズは端末側とネットワーク側の交渉により決めた固定値であり、周波数領域に占有されるリソースのサイズは端末側とネットワーク側の交渉により決めた固定値であり、リソース集合ごとに、周波数領域に占有されるリソース位置が含まれることを特徴とする請求項４に記載のアップリンク制御情報の伝送方法。
【請求項７】
リソース集合ごとに時間領域に占有されるリソース位置が含まれ、または、時間領域に占有されるリソース位置は事前約定された位置であることを特徴とする請求項６に記載のアップリンク制御情報の伝送方法。
【請求項８】
前記端末がそのうちの１つのリソース集合を選出する場合、
前記端末は、現在フィードバックすべきアップリンク制御情報のトータルビット数、及び各々リソース集合が特定なコードレートートにより算出した搬送可能な最大ビット数に基づき、選出されたリソース集合を決定し、または、
異なるリソース集合に含まれる時間領域に占有されるリソースのサイズが異なる場合、前記端末は、各々リソース集合に含まれる時間領域に占有されるリソースのサイズに基づき、選出されたリソース集合を決定し、または、
前記端末は、リソース集合内のシンボル数に基づき、選出されたリソース集合を決定することを特徴とする請求項４に記載のアップリンク制御情報の伝送方法。
【請求項９】
時間領域に占有されるリソース位置が事前約定された位置でありかつ、アップリンク制御情報が正確/エラーＡＣＫ/ＮＡＣＫフィードバック情報である場合、
端末は、時間領域に占有されるリソースの開始位置を、インデックスがｎ+ｋである時間帯における１番目のシンボルとして決定し前記ｎは、ＡＣＫ/ＮＡＣＫフィードバックすべきダウンリンクデータ伝送を行う時間帯のインデックスであり、ｋは所定の値であり、ｎ及びｋは、０より大きいか、等しい整数であり、
または、端末は、時間領域に占有されるリソースの開始位置を、ＡＣＫ/ＮＡＣＫフィードバックすべきダウンリンクデータ伝送を行う事前に分割されたダウンリンク伝送のための時間帯後の第ｋ番目の事前に分割されたアップリンク伝送のための時間帯における１番目のシンボルとして、決定し、ｋは所定の値であり、ｋは０より大きいか等しい整数であり、
または、端末は、時間領域に占有されるリソースの開始位置と、所定のタイミング関係を満足する１番目のシンボルとして、決定し、前記シンボルは、アップリンク送信時間帯におけるシンボルであり、
または、端末は、時間領域に占有されるリソースの開始位置を、所定のタイミング関係を満足する１つのアップリンク送信時間帯における１番目のシンボルとして、決定し、ここで、前記タイミング関係を満足するのかは、１つのダウンリンクデータ伝送に用いられる最後１つのシンボルと、１つのアップリンク送信時間帯における１番目のシンボルの間のシンボル間隔により、決定され、ここで、前記タイミング関係は処理遅延であり、前記処理遅延は、ダウンリンクデータ分析・処理時間と、ダウンリンクデータに対応するＡＣＫ/ＮＡＣＫフィードバック情報を生成するための時間とを含み、ここで、１つのダウンリンクデータの伝送終了時刻を基準とし、そのＡＣＫ/ＮＡＣＫフィードバック情報は、前記処理遅延を満足するアップリンクシンボルにおいて伝送され、
時間領域に占有されるリソース位置が事前約定された位置であり、かつ、アップリンク制御情報が周期チャネル状態（ＣＳＩ）フィードバック情報である場合、
前記端末は、所定のＣＳＩフィードバック周期に基づき、時間領域に占有されるリソースの開始シンボル位置を決定し、前記周期はＹ１個のシンボルであり、Ｙ１は正整数であり、または、
前記端末は、所定のＣＳＩフィードバック周期に基づき、前記ＣＳＩフィードバック周期に対応する伝送ＣＳＩのサブフレーム内の所定のアップリンクシンボル位置を、時間領域に占有されるリソースの開始シンボル位置として決定し、前記ＣＳＩフィードバック周期はＹ２個のサブフレームであり、Ｙ２は正整数であることを特徴とする請求項１ないし請求項８のいずれか１項に記載のアップリンク制御情報の伝送方法。
【請求項１０】
端末が決定されたリソースにおいてアップリンク制御情報を伝送するのは、
前記端末非拡散モードで決定されたリソースにおいてアップリンク制御情報を伝送し、
または、前記端末は、拡散モードで決定されたリソースにおいてアップリンク制御情報を伝送することを特徴とする請求項１ないし請求項９のいずれか１項に記載のアップリンク制御情報の伝送方法。
【請求項１１】
非拡散モードで決定されたリソースにおいてアップリンク制御情報を伝送するのは、
決定されたリソースにおけるデータ伝送用のＲＥ数及び用いられる変調・エンコーディング方式でエンコーディングビット数を決定し、前記エンコーディングビット数に基づき、アップリンク制御情報に対しチャネルエンコーディング及びレートマッチングを行い、対応の変調シンボルを得、
得られた変調シンボルを、特定の順番に従って前記リソースにマッピングして伝送することを特徴とする請求項１０に記載のアップリンク制御情報の伝送方法。
【請求項１２】
拡散モードで決定されたリソースにおいてアップリンク制御情報を伝送するのは、決定されたリソースにおけるデータ伝送用のＲＥ数、拡散シーケンス長さ及び用いられる変調・エンコーディング方式でエンコーディングビット数を決定し、前記エンコーディングビット数に基づき、アップリンク制御情報に対しチャネルエンコーディング及びレートマッチングを行い、対応の変調シンボルを得、
得られた各々変調シンボルと長さがＮである直交シーケンスを掛け算して、拡散された後の長さがＮである変調シンボルを得、前記長さがＮである変調シンボルを、前記リソース内の１シンボル上の１ＲＥグループにマッピングして伝送し、
前記１ＲＥグループにＮ個のＲＥが含まれ、前記Ｎは直交シーケンス長であることを特徴とする請求項１０に記載のアップリンク制御情報の伝送方法。
【請求項１３】
前記端末により決定された時間領域に占有されるリソースに複数のシンボルが含まれる場合、
前記端末は、各々シンボルにおいて長さがＮである直交シーケンスを用いて周波数領域拡散を行い、または、前記端末は、時間領域において長さがＢである直交シーケンスを用いて時間領域拡散を行い、前記Ｂは、時間領域に占有されるリソースに含まれるシンボル数のうちの、データ伝送に用いられるシンボル数であり、Ｎ及びＢのいずれも１より大きいか等しい整数であり、または、前記端末は、各々シンボルにおいて長さがＮである直交シーケンスを用いて周波数領域拡散を行い、かつ、端末は、時間領域において長さがＢである直交シーケンスを用いて時間領域拡散を行い、前記Ｂは、時間領域に占有されるリソースに含まれるシンボル数のうちの、データ伝送に用いられるシンボル数であり、Ｎ及びＢは１より大きいか等しい整数であることを特徴とする請求項１２に記載のアップリンク制御情報の伝送方法。
【請求項１４】
前記端末により伝送されるアップリンク制御情報に特定なシーケンスが含まれ、前記特定なシーケンスは、前記端末の識別子（ＩＤ）と関連し、前記特定なシーケンス少なくとも他のネットワークエレメントが前記端末を識別すること及び前記端末の干渉を測定することに用いられることを特徴とする請求項１２に記載のアップリンク制御情報の伝送方法。
【請求項１５】
アップリンク制御情報を伝送するリソースを決定し、前記リソースは、時間領域に占有されるリソース及び周波数領域に占有されるリソースを含み、前記時間領域に占有されるリソースの長さが１ｍｓより小さい処理ユニットと、
決定されたリソースにおいてアップリンク制御情報を伝送する通信ユニットと
を備えることを特徴とするアップリンク制御情報の伝送装置。
【請求項１６】
前記処理ユニットにより決定されたアップリンク制御情報を伝送するリソースにおいて、周波数領域に占有されるリソースのサイズはサブキャリアＳＣ数により示され、または、リソースエレメントＲＥ数で示され、またはリソースユニット（ＲＵ）数で示され、
ＲＵで示される場合、ＲＵは、事前に定義した時間領域においてＸ１個のシンボルを占有し、周波数領域においてＸ２個のＳＣまたはＲＥを占有するリソース領域であり、前記Ｘ２個のＳＣまたはＲＥは連続であるか非連続であり、前記Ｘ１及びＸ２は事前に定義されたものであるか設定されたものであり、Ｘ１、Ｘ２は０より大きい整数であり、
前記処理ユニットにより決定されたアップリンク制御情報を伝送するリソースにおいて、前記時間領域に占有されるリソースのサイズはシンボル数または期間長で示されることを特徴とする請求項１５に記載のアップリンク制御情報の伝送装置。
【請求項１７】
前記処理ユニットは、前記周波数領域に占有されるリソースのサイズが固定的に設定したＡ１個のＳＣ、または、Ａ２個のＲＥ、または、Ａ３個のＲＵであることを決定し、ここで、Ａ１、Ａ２、Ａ３は０より大きい整数であり、
または、前記処理ユニットは、シグナリング通知により前記周波数領域に占有されるリソースのサイズを決定し、また、前記処理ユニットは、事前約定により前記周波数領域に占有されたソース位置を決定し、
または、前記処理ユニットは、シグナリング通知により前記周波数領域に占有されるリソース位置を決定し、
前記処理ユニットは、前記時間領域に占有されるリソースのサイズが固定的に設定したＢ１個のシンボルまたはＢ２ｍｓであることを決定し、前記Ｂ１は０より大きい整数であり、Ｂ２は１より小さい小数であり、
または、前記処理ユニットは、シグナリング通知により、前記時間領域に占有されるリソースのサイズを決定し、また、前記処理ユニットは、事前約定により前記時間領域に占有されたソース位置を決定し、
または、前記処理ユニットは、シグナリング通知により前記時間領域に占有されるリソース位置を決定することを特徴とする請求項１５または請求項１６に記載のアップリンク制御情報の伝送装置。
【請求項１８】
前記処理ユニットは、
ダウンリンク・グラント・シグナリング（ＤＬ ｇｒａｎｔ）の通知によりアップリンク制御情報を伝送するリソースを決定し、前記ＤＬ ｇｒａｎｔに用いられるダウンリンク制御情報（ＤＣＩ）内の指示フィールドは、高位層シグナリングにより事前に設定した複数のリソース集合のうちの１つを示し、
または、アップリンク・グラント・シグナリング（ＵＬ ｇｒａｎｔ）の通知によりアップリンク制御情報を伝送するリソースを決定し、前記ＵＬ ｇｒａｎｔに用いられるＤＣＩ内の第１指示フィールドは周波数領域に占有されるリソースのサイズ及び位置を示し、第２指示フィールドは少なくとも時間領域に占有されるリソースのサイズを示し、
または、高位層シグナリングの通知によりアップリンク制御情報を伝送するリソースを決定し、前記高位層シグナリングにより少なくとも１つのリソース集合を設定し、２つ以上のリソース集合を設定する場合、前記処理ユニットは、そのうちから１つのリソース集合を選出することを特徴とする請求項１５、請求項１６または請求項１７に記載のアップリンク制御情報の伝送装置。
【請求項１９】
前記第２指示フィールドは、時間領域に占有されるリソース位置を示し、または、
時間領域に占有されるリソース位置は事前約定された位置であることを特徴とする請求項１８に記載のアップリンク制御情報の伝送装置。
【請求項２０】
前記リソース集合の設定は以下とおりであり、
リソース集合ごとに、周波数領域に占有されるリソースのサイズ、位置及び時間領域に占有されるリソースのサイズが含まれ、ここで、異なるリソース集合内の周波数領域に占有されたリソースのサイズ同様であるか異なり、及び/または、異なるリソース集合内の時間領域に占有されるリソースのサイズは同様であるか異なるか、または、
周波数領域に占有されるリソースのサイズは端末側とネットワーク側の交渉により決めた固定値であり、リソース集合ごとに、周波数領域に占有されるリソース位置及び時間領域に占有されるリソースのサイズが含まれ、ここで、異なるリソース集合内の時間領域に占有されるリソースのサイズは同様であるか異なるか、または、
時間領域に占有されるリソースのサイズは端末側とネットワーク側の交渉により決めた固定値であり、リソース集合ごとに、周波数領域に占有されるリソースのサイズ及び位置が含まれ、ここで、異なるリソース集合内の周波数領域に占有されるリソースのサイズは同様であるか異なるか、または、
時間領域に占有されるリソースのサイズは端末側とネットワーク側の交渉により決めた固定値であり、周波数領域に占有されるリソースのサイズは端末側とネットワーク側の交渉により決めた固定値であり、リソース集合ごとに、周波数領域に占有されるリソース位置が含まれることを特徴とする請求項１８に記載のアップリンク制御情報の伝送装置。
【請求項２１】
リソース集合ごとに時間領域に占有されるリソース位置が含まれ、または、時間領域に占有されるリソース位置は事前約定された位置であることを特徴とする請求項２０に記載のアップリンク制御情報の伝送装置。
【請求項２２】
前記処理ユニットは、
現在フィードバックすべきアップリンク制御情報のトータルビット数、及び各々リソース集合が特定なコードレートートにより算出した搬送可能な最大ビット数に基づき、選出されたリソース集合を決定するか、または、
異なるリソース集合に含まれる時間領域に占有されるリソースのサイズが異なる場合、おのおのリソース集合に含まれる時間領域に占有されるリソースのサイズに基づき、選出されたリソース集合を決定するか、または、
リソース集合内のシンボル数に基づき、選出されたリソース集合を決定することを特徴とする請求項１８に記載のアップリンク制御情報の伝送装置。
【請求項２３】
時間領域に占有されるリソース位置が事前約定された位置であり、かつ、アップリンク制御情報が正確/エラーＡＣＫ/ＮＡＣＫフィードバック情報である場合、
前記処理ユニットは、時間領域に占有されるリソースの開始位置を、インデックスがｎ+ｋである時間帯における１番目のシンボルとして決定し、前記ｎは、ＡＣＫ/ＮＡＣＫフィードバックすべきダウンリンクデータ伝送を行う時間帯のインデックスであり、ｋは所定の値であり、ｎ及びｋは、０より大きいか、等しい整数であり、
または、前記処理ユニットは、時間領域に占有されるリソースの開始位置を、ＡＣＫ/ＮＡＣＫフィードバックすべきダウンリンクデータ伝送を行う事前に分割されたダウンリンク伝送のための時間帯後の第ｋ番目の事前に分割されたアップリンク伝送のための時間帯における１番目のシンボルとして決定し、ｋは所定の値であり、ｋは０より大きいか等しい整数であり、
または、前記処理ユニットは、時間領域に占有されるリソースの開始位置を、所定のタイミング関係を満足する１番目のシンボルとして決定し、前記シンボルは、アップリンク送信時間帯におけるシンボルであり、
または、前記処理ユニットは、時間領域に占有されるリソースの開始位置と、所定のタイミング関係を満足する１つのアップリンク送信時間帯における１番目のシンボルとして決定し、ここで、前記タイミング関係を満足するのかは、１つのダウンリンクデータ伝送に用いられる最後１つのシンボルと、１つのアップリンク送信時間帯における１番目のシンボルの間のシンボル間隔により、決定され、前記タイミング関係は処理遅延であり、前記処理遅延は、ダウンリンクデータ分析・処理時間と、ダウンリンクデータに対応するＡＣＫ/ＮＡＣＫフィードバック情報を生成するための時間とを含み、ここで、１つのダウンリンクデータの伝送終了時刻を基準とし、そのＡＣＫ/ＮＡＣＫフィードバック情報は、前記処理遅延を満足するアップリンクシンボルにおいて伝送され、
時間領域に占有されるリソース位置が事前約定された位置であれば、かつ、アップリンク制御情報が周期チャネル状態（ＣＳＩ）フィードバック情報である場合、前記処理ユニットは、所定のＣＳＩフィードバック周期に基づき、時間領域に占有されるリソースの開始シンボル位置を決定し、ここで、前記周期はＹ１個のシンボルであり、Ｙ１は正整数であり、
または、所定のＣＳＩフィードバック周期に基づき、前記ＣＳＩフィードバック周期に対応する伝送ＣＳＩのサブフレーム内の所定のアップリンクシンボル位置を、時間領域に占有されるリソースの開始シンボル位置として決定し、前記ＣＳＩフィードバック周期はＹ２個のサブフレームであり、Ｙ２は正整数であることを特徴とする請求項１５ないし請求項２２のいずれかの１項に記載のアップリンク制御情報の伝送装置。
【請求項２４】
前記通信ユニットは、
非拡散モードで決定されたリソースにおいてアップリンク制御情報を伝送するか、または、
拡散モードで決定されたリソースにおいてアップリンク制御情報を伝送することを特徴とする請求項１５ないし請求項２３のいずれか１項に記載のアップリンク制御情報の伝送装置。
【請求項２５】
非拡散モードで決定されたリソースにおいてアップリンク制御情報を伝送する場合、前記通信ユニットは、
決定されたリソースにおけるデータ伝送用のＲＥ数及び用いられる変調・エンコーディング方式でエンコーディングビット数を決定し、前記エンコーディングビット数に基づき、アップリンク制御情報に対しチャネルエンコーディング及びレートマッチングを行い、対応の変調シンボルを得、
得られた変調シンボルを、特定の順番に従って前記リソースにマッピングして伝送することを特徴とする請求項２４に記載のアップリンク制御情報の伝送装置。
【請求項２６】
拡散モードで決定されたリソースにおいてアップリンク制御情報を伝送する場合、前記通信ユニットは、
決定されたリソースにおけるデータ伝送用のＲＥ数、拡散シーケンス長さ及び用いられる変調・エンコーディング方式でエンコーディングビット数を決定し、前記エンコーディングビット数に基づき、アップリンク制御情報に対しチャネルエンコーディング及びレートマッチングを行い、対応の変調シンボルを得、
得られた各々変調シンボルと長さがＮである直交シーケンスを掛け算して、拡散された後の長さがＮである変調シンボルを得、前記長さがＮである変調シンボルを、前記リソース内の１シンボル上の１ＲＥグループにマッピングして伝送し、前記１ＲＥグループにＮ個のＲＥが含まれ、前記Ｎは直交シーケンス長であることを特徴とする請求項２４に記載のアップリンク制御情報の伝送装置。
【請求項２７】
決定された時間領域に占有されるリソースに複数のシンボルが含まれる場合、前記通信ユニットは、
各々シンボルにおいて長さがＮである直交シーケンスを用いて周波数領域拡散を行い、
または、時間領域において、長さがＢである直交シーケンスを用いて時間領域拡散を行い、前記Ｂは、時間領域に占有されるリソースに含まれるシンボル数のうちの、データ伝送に用いられるシンボル数であり、Ｎ及びＢのいずれも１より大きいか等しい整数であり、
または、各々シンボル上において、長さがＮである直交シーケンスを用いて周波数領域拡散を行い、かつ、時間領域において、長さがＢである直交シーケンスを用いて時間領域拡散を行い、前記Ｂは、時間領域に占有されるリソースに含まれるシンボル数のうちの、データ伝送に用いられるシンボル数であり、Ｎ及びＢのいずれも１より大きいか等しい整数であることを特徴とする請求項２６に記載のアップリンク制御情報の伝送装置。
【請求項２８】
前記通信ユニットにより伝送されるアップリンク制御情報に特定なシーケンスが含まれ、前記特定なシーケンスは前記装置的識別子（ＩＤ）と関連し、前記特定なシーケンス少なくとも、他のネットワークエレメントが前記装置を識別すること、及び、前記装置への干渉を測定することに用いられることを特徴とする請求項２６に記載のアップリンク制御情報の伝送装置。
【請求項２９】
プロセッサと、送受信機と、メモリとを備え、
前記プロセッサは、メモリに格納されたプログラムを読み出し、請求項１ないし請求項１４のいずれか１項に記載の前記方法を執行することを特徴とする信号検出装置。
【発明の詳細な説明】
【技術分野】
【０００１】
本発明は通信分野に関し、特に、アップリンク制御情報の伝送方法及び装置に関する。
【背景技術】
【０００２】
移動通信サービスに対する需要の発展と変化があるため、国際機関は、今後のモバイル通信システムに対して要求される、より短いユーザ・プレーン遅延の性能を定義した。ユーザ・プレーン遅延は、主に、伝送時間間隔（Ｔｒａｎｓｍｉｓｓｉｏｎ Ｔｉｍｅ Ｉｎｔｅｒｖａｌ，ＴＴＩ）の長さを減らすことによって短縮される。
【０００３】
図１に示すように、従来のＬＴＥ（ｌｏｎｇ Ｔｅｒｍ Ｅｖｏｌｕｔｉｏｎ）  ＦＤＤ（Ｆｒｅｑｕｅｎｃｙ Ｄｉｖｉｓｉｏｎ Ｄｕｐｌｅｘ）システムに用いられるフレーム構成において、アップリンク及びダウンリンク伝送にそれぞれ異なるキャリア周波数を利用し、また、アップリンク及びダウンリンク伝送それぞれに同様なフレーム構成を採用する。キャリアごとに、長さが１０ｍｓである無線フレームに１０個の１ｍｓのサブフレームが含まれ、さらに、サブフレームは長さが０.５ｍｓであるスロット２つより形成される。アップリンク及びダウンリンクデータ伝送のＴＴＩが１ｍｓである。
【０００４】
図２に示すように、従来のＬＴＥ時分割デュプレックス（Ｔｉｍｅ Ｄｉｖｉｓｉｏｎ Ｄｕｐｌｅｘ，ＴＤＤ）システムに用いられるフレーム構成において、アップリンク及びダウンリンク伝送に、同様な周波数上の異なるサブフレームまたは異なるスロットが用いられる。１０ｍｓ無線フレームが２つの５ｍｓのハーフフレームにより構成され、ハーフフレームごとに５つの長さが１ｍｓであるサブフレームが含まれる。サブフレームは、ダウンリンクサブフレーム、アップリンクサブフレーム及びスペシャルサブフレームにわけられ、スペシャルサブフレーム由ダウンリンク伝送スロット（Ｄｏｗｎｌｉｎｋ Ｐｉｌｏｔ Ｔｉｍｅ Ｓｌｏｔ，ＤｗＰＴＳ ）、ガード期間（Ｇｕａｒｄ Ｐｅｒｉｏｄ，ＧＰ）及びアップリンク伝送スロット（Ｕｐｌｉｎｋ Ｐｉｌｏｔ Ｔｉｍｅ Ｓｌｏｔ，ＵｐＰＴＳ）３つの部分から構成される。ハーフフレームごとに、少なくとも１つのダウンリンクサブフレーム及び少なくとも１つのアップリンクサブフレーム、及び多くて１つのスペシャルサブフレームが含まれる。
【０００５】
３ＧＰＰ ＴＲ３６．９１２付録セクションＢ.２内の定義によれば、ＬＴＥシステム的ユーザ・プレーン（Ｕｓｅｒ Ｐｌａｎｅ， Uプレーンと略称）遅延は、基地局処理期間、フレームアライメント期間、ＴＴＩ期間及び端末処理期間からなる。ここで、フレームアライメント期間は、サービス到着からエア・インタフェースサブフレームでのサービス伝送機会到来の間の待ち時間を指す。
【０００６】
ＬＴＥ-ＦＤＤダウンリンク伝送を例とし、ＦＤＤシステムのサブフレームごとにダウンリンク伝送機会があるため、フレームアライメント期間の平均値は０.５ｍｓである。基地局処理期間は、ダウンリンク方向の場合１ｍｓであり、アップリンク方向の場合１.５ｍｓである。端末処理期間は、アップリンク方向の場合１ｍｓであり、ダウンリンク方向の場合１.５ｍｓである。なので、ＨＡＲＱ（Ｈｙｂｒｉｄ Ａｕｔｏｍａｔｉｃ Ｒｅｐｅａｔ ｒｅＱｕｅｓｔ）を考慮しない場合、
ＬＴＥ-ＦＤＤダウンリンクＵプレーン遅延=基地局処理期間１ｍｓ+フレームアライメント期間０.５ｍｓ+ＴＴＩ期間１ｍｓ+端末処理期間１.５ｍｓ、
即ち、ＬＴＥ-ＦＤＤダウンリンクＵプレーン遅延は４ｍｓである。これと類似し、ＬＴＥ-ＦＤＤシステムにおいて、ＨＡＲＱを考慮しないアップリンクＵプレーン遅延も４ｍｓであり、具体的に図３に示すとおりである。
【０００７】
ＬＴＥ−ＴＤＤシステムの場合、基地局及び端末処理期間、ＴＴＩはＦＤＤの場合と同様である。フレームアライメント期間及びサービス到着時間は、システムに用いられるＵＬ/ＤＬ構成と関連する。
【０００８】
ＵＬ/ＤＬ構成#５を例とする。基地局は、サブフレーム#１において、送信端の処理が完成すれば、早くて、サブフレーム#３において送信することができ、エア・インタフェースサブフレームへ送信したフレームアライメント期間の平均値は１.５ｍｓであり、たのサブフレームのフレームアライメント期間の平均値は０.５ｍｓであるため、ダウンリンクデータの平均のアライメント期間は１.５+８*０.５）/９=０.６ｍｓである。
【０００９】
このようなＵプレーン遅延の計算において、基地局及び端末の処理時間、フレームアライメント期間らはＴＴＩ長さと関連し、もしＴＴＩ長さが短縮されると、Ｕプレーンのトータル遅延も短縮される。
【００１０】
従来のＬＴＥフレーム構成をベースとし、ＴＴＩを０.５ｍｓ以下に短縮することができ、即ち、１つのＴＴＩ長さは、従来ＬＴＥフレーム構成内の１つのスロットに含まれるシンボル数であることができ、例えば、ノーマルＣＰの場合７つのシンボルであり、拡張ＣＰの場合６つのシンボルである。また、ＴＴＩを１スロットより小さい長さまでに短縮することもでき、例えば、１または複数のシンボルまでに短縮する。
【００１１】
しかし、ＬＴＥシステムにおいて、従来のチャネル伝送はＴＴＩ=１ｍｓに従って定義され、サービスチャネルが１ｍｓではないＴＴＩ長さを用いる場合、データをどのように伝送するのかは、まだ案出されていない。
【発明の概要】
【発明が解決しようとする課題】
【００１２】
本発明に係る実施例はアップリンク制御情報の伝送方法及び装置を提供し、ＴＴＩが短縮された場合に応じて、アップリンク制御情報の伝送案を提供する。
【課題を解決するための手段】
【００１３】
本発明に係る実施例の技術案は以下とおりである。
【００１４】
アップリンク制御情報の伝送方法は、端末がアップリンク制御情報を伝送するリソースを決定するステップであって、前記リソースは、時間領域に占有されるリソース及び周波数領域に占有されるリソースを含み、前記時間領域に占有されるリソースの長さが１ｍｓより小さい前記決定ステップと、前記端末は決定されたリソースにおいてアップリンク制御情報を伝送するステップとを備える。こうして、短縮されたＴＴＩに対し（即ｓｈｏｒｔｅｎｅｄ ＴＴＩ）、アップリンク制御情報の伝送案を提供し、アップリンク制御情報の通常のフィードバックをサポートし、システム性能を確保する。
【００１５】
好ましくは、端末により決定されたアップリンク制御情報を伝送するリソースにおいて、周波数領域に占有されるリソースのサイズはサブキャリアＳＣ数により示され、または、リソースエレメントＲＥ数で示され、またはリソースユニット（ＲＵ）数で示され、ここで、ＲＵで示される場合、ＲＵは、事前に定義した時間領域においてＸ１個のシンボルを占有し、周波数領域においてＸ２個のＳＣまたはＲＥを占有するリソース領域であり、前記Ｘ２個のＳＣまたはＲＥは連続であるか非連続であり、前記Ｘ１及びＸ２は事前に定義されたものであるか設定されたものであり、Ｘ１、Ｘ２は０より大きい整数であり、端末により決定されたアップリンク制御情報を伝送するリソースにおいて、前記時間領域に占有されるリソースのサイズはシンボル数または期間長で示される。
【００１６】
好ましくは、端末は、前記周波数領域に占有されるリソースのサイズを、固定的に設定したＡ１個のＳＣ、または、Ａ２個のＲＥ、またはＡ３個のＲＵとして決定し、前記Ａ１、Ａ２、Ａ３は０より大きい整数であり、または、端末は、シグナリング通知により、前記周波数領域に占有されるリソースのサイズを決定し、及び、端末は、事前約定により前記周波数領域に占有されたソース位置を決定し、または、端末は、シグナリング通知により前記周波数領域に占有されるリソース位置を決定し、
端末は、前記時間領域に占有されるリソースのサイズを固定的に設定したＢ１個のシンボルまたはＢ２ｍｓに決定し、前記Ｂ１は０より大きい整数であり、Ｂ２は１より小さい小数であり、または、端末はシグナリング通知により時間領域に占有されるリソースのサイズを決定し、及び、端末は、事前約定により前記時間領域に占有されたソース位置を決定し、または、端末は、シグナリング通知により前記時間領域に占有されるリソース位置を決定する。
【００１７】
好ましくは、端末がアップリンク制御情報を伝送するリソースを決定することは、端末は、ダウンリンク・グラント・シグナリング（ＤＬ ｇｒａｎｔ）の通知によりアップリンク制御情報を伝送するリソースを決定し、前記ＤＬ ｇｒａｎｔに用いられるダウンリンク制御情報（ＤＣＩ）内の指示フィールドは、高位層シグナリングにより事前に設定した複数のリソース集合のうちの１つを示し、または、端末は、アップリンク・グラント・シグナリング（ＵＬ ｇｒａｎｔ）の通知によりアップリンク制御情報を伝送するリソースを決定し、前記ＵＬ ｇｒａｎｔに用いられるＤＣＩ内の第１指示フィールドは周波数領域に占有されるリソースのサイズ及び位置を示し、第２指示フィールドは少なくとも時間領域に占有されるリソースのサイズを示し、または、端末は、高位層シグナリングの通知によりアップリンク制御情報を伝送するリソースを決定し、前記高位層シグナリングにより少なくとも１つのリソース集合を設定し、２つ以上のリソース集合が設定される場合、端末はそのうちの１つのリソース集合を選出する。
【００１８】
好ましくは、前記第２指示フィールドは、さらに、時間領域に占有されるリソース位置を示し、または、時間領域に占有されるリソース位置は事前約定された位置である。
【００１９】
好ましくは、前記リソース集合の設定は以下とおりであり、リソース集合ごとに、周波数領域に占有されるリソースのサイズ、位置及び時間領域に占有されるリソースのサイズが含まれ、ここで、異なるリソース集合内の周波数領域に占有されたリソースのサイズ同様であるか異なり、及び/または、異なるリソース集合内の時間領域に占有されるリソースのサイズは同様であるか異なり、または、周波数領域に占有されるリソースのサイズは端末側とネットワーク側の交渉により決めた固定値であり、リソース集合ごとに、周波数領域に占有されるリソース位置及び時間領域に占有されるリソースのサイズが含まれ、ここで、異なるリソース集合内の時間領域に占有されるリソースのサイズは同様であるか異なり、または、時間領域に占有されるリソースのサイズは端末側とネットワーク側の交渉により決めた固定値であり、リソース集合ごとに、周波数領域に占有されるリソースのサイズ及び位置が含まれ、ここで、異なるリソース集合内の周波数領域に占有されるリソースのサイズは同様であるか異なり、または、時間領域に占有されるリソースのサイズは端末側とネットワーク側の交渉により決めた固定値であり、周波数領域に占有されるリソースのサイズは端末側とネットワーク側の交渉により決めた固定値であり、リソース集合ごとに、周波数領域に占有されるリソース位置が含まれる。
【００２０】
好ましくは、さらに、リソース集合ごとに時間領域に占有されるリソース位置が含まれ、または、時間領域に占有されるリソース位置は事前約定された位置である。
【００２１】
好ましくは、端末がそのうちの１つのリソース集合を選出する場合、端末は、現在フィードバックすべきアップリンク制御情報のトータルビット数、及び各々リソース集合が特定なコードレートートにより算出した搬送可能な最大ビット数に基づき、選出されたリソース集合を決定し、または、異なるリソース集合に含まれる時間領域に占有されるリソースのサイズが異なる場合、端末は、各々リソース集合に含まれる時間領域に占有されるリソースのサイズに基づき、選出されたリソース集合を決定し、または、端末は、リソース集合内のシンボル数に基づき、選出されたリソース集合を決定する。
【００２２】
好ましくは、時間領域に占有されるリソース位置が事前約定された位置であれば、端末が時間領域に占有されるリソースの開始位置を決定する場合、
アップリンク制御情報が正確/エラーＡＣＫ/ＮＡＣＫフィードバック情報であれば、端末は、時間領域に占有されるリソースの開始位置を、インデックスがｎ+ｋである時間帯における１番目のシンボルとして決定し、前記ｎは、ＡＣＫ/ＮＡＣＫフィードバックすべきダウンリンクデータ伝送を行う時間帯のインデックスであり、ｋは所定の値であり、または、端末は、時間領域に占有されるリソースの開始位置を、ＡＣＫ/ＮＡＣＫフィードバックすべきダウンリンクデータ伝送を行う事前に分割されたダウンリンク伝送のための時間帯後の第ｋ番目の事前に分割されたアップリンク伝送のための時間帯における１番目のシンボルとして、決定し、ｋは所定の値であり、または、端末は、時間領域に占有されるリソースの開始位置と、所定のタイミング関係を満足する１番目のシンボルとして、決定し、前記シンボルは、アップリンク送信時間帯におけるシンボルであり、または、端末は、時間領域に占有されるリソースの開始位置を、所定のタイミング関係を満足する１つのアップリンク送信時間帯における１番目のシンボルとして、決定し、ここで、前記タイミング関係を満足するのかは、１つのダウンリンクデータ伝送に用いられる最後１つのシンボルと、１つのアップリンク送信時間帯における１番目のシンボルの間のシンボル間隔により、決定され、ここで、
言及されたタイミング関係は処理遅延であり、前記処理遅延は、ダウンリンクデータ分析・処理時間と、ダウンリンクデータに対応するＡＣＫ/ＮＡＣＫフィードバック情報を生成するための時間とを含み、１つのダウンリンクデータの伝送終了時刻を基準とし、そのＡＣＫ/ＮＡＣＫフィードバック情報は、前記処理遅延を満足するアップリンクシンボルにおいて伝送され、
アップリンク制御情報が周期チャネル状態（Ｃｈａｎｎｅｌ Ｓｔａｔｅ Ｉｎｆｏｒｍａｔｉｏｎ,  ＣＳＩ）フィードバック情報である場合、端末は以下のように動作し、
端末は、所定のＣＳＩフィードバック周期に基づき、時間領域に占有されるリソースの開始シンボル位置を決定し、ここで、前記周期はＹ１個のシンボルであり、Ｙ１は正整数であり、または、
端末は、所定のＣＳＩフィードバック周期に基づき、前記ＣＳＩフィードバック周期に対応する伝送ＣＳＩのサブフレーム内の所定のアップリンクシンボル位置を、時間領域に占有されるリソースの開始シンボル位置として決定し、前記ＣＳＩフィードバック周期はＹ２個のサブフレームであり、Ｙ２は正整数である。
【００２３】
好ましくは、端末は決定されたリソースにおいてアップリンク制御情報を伝送するのは、
非拡散モードで決定されたリソースにおいてアップリンク制御情報を伝送し、または、
拡散モードで決定されたリソースにおいてアップリンク制御情報を伝送する。
【００２４】
好ましくは、非拡散モードで決定されたリソースにおいてアップリンク制御情報を伝送するのは、
端末は、決定されたリソースにおけるデータ伝送用のＲＥ数及び用いられる変調・エンコーディング方式により、エンコーディングビット数を決定し、さらに、前記エンコーディングビット数に基づいてアップリンク制御情報に対してチャネルエンコーディング及びレートマッチングを行い、対応の変調シンボルを得、
端末は、得られた変調シンボルを、特定の順番に従って前記リソースにマッピングして伝送する。
【００２５】
好ましくは、拡散モードで決定されたリソースにおいてアップリンク制御情報を伝送するのは、
端末は、決定されたリソースにおけるデータ伝送用のＲＥ数、拡散シーケンス長さ及び用いられる変調・エンコーディング方式により、定エンコーディングビット数を決定し、さらに、前記エンコーディングビット数に基づいてアップリンク制御情報に対してチャネルエンコーディング及びレートマッチングを行い、対応の変調シンボルを得、
端末は、得られた各々変調シンボルと長さがＮである直交シーケンスを掛け算して、拡散された後の長さがＮである変調シンボルを得、さらに、前記長さがＮである変調シンボルを、前記リソースにおける１つのシンボル上の１ＲＥグループにマッピングして伝送し、前記１ＲＥグループにＮ個のＲＥが含まれ、前記Ｎは直交シーケンス長である。
【００２６】
好ましくは、端末により決定された時間領域に占有されるリソースに複数のシンボルが含まれる場合、
端末は、各々シンボルにおいて長さがＮである直交シーケンスを用いて周波数領域拡散を行い、または、端末は、時間領域において長さがＢである直交シーケンスを用いて時間領域拡散を行い、前記Ｂは、時間領域に占有されるリソースに含まれるシンボル数のうちの、データ伝送に用いられるシンボル数であり、または、端末は、各々シンボルにおいて長さがＮである直交シーケンスを用いて周波数領域拡散を行い、かつ、端末は、時間領域において長さがＢである直交シーケンスを用いて時間領域拡散を行い、前記Ｂは、時間領域に占有されるリソースに含まれるシンボル数のうちの、データ伝送に用いられるシンボル数である。
【００２７】
好ましくは、端末により伝送されるアップリンク制御情報に特定なシーケンスが含まれ、前記特定なシーケンスは、前記端末の識別子（ＩＤ）と関連し、少なくとも他のネットワークエレメントが前記端末を識別すること及び前記端末の干渉を測定することに用いられる。
【００２８】
アップリンク制御情報の伝送装置は、アップリンク制御情報を伝送するリソースを決定し、前記リソースは、時間領域に占有されるリソース及び周波数領域に占有されるリソースを含み、ここで、前記時間領域に占有されるリソースの長さが１ｍｓより小さい処理ユニットと、決定されたリソースにおいてアップリンク制御情報を伝送する通信ユニットとを備える。こうして、短縮されたＴＴＩに対し（即ちｓｈｏｒｔｅｎｅｄ ＴＴＩ）、アップリンク制御情報の伝送案を提供し、アップリンク制御情報の通常のフィードバックをサポートし、システム性能を確保する。
【００２９】
好ましくは、前記処理ユニットにより決定されたアップリンク制御情報を伝送するリソースにおいて、周波数領域に占有されるリソースのサイズはサブキャリアＳＣ数により示され、または、リソースエレメントＲＥ数で示され、またはリソースユニット（ＲＵ）数で示され、ここで、ＲＵで示される場合、ＲＵは、事前に定義した時間領域においてＸ１個のシンボルを占有し、周波数領域においてＸ２個のＳＣまたはＲＥを占有するリソース領域であり、前記Ｘ２個のＳＣまたはＲＥは連続であるか非連続であり、前記Ｘ１及びＸ２は事前に定義されたものであるか設定されたものであり、Ｘ１、Ｘ２は０より大きい整数であり、前記処理ユニットにより決定されたアップリンク制御情報を伝送するリソースにおいて、前記時間領域に占有されるリソースのサイズはシンボル数または期間長で示される。
【００３０】
好ましくは、前記処理ユニットは、前記周波数領域に占有されるリソースのサイズが固定的に設定したＡ１個のＳＣ、または、Ａ２個のＲＥ、または、Ａ３個のＲＵであることを決定し、ここで、Ａ１、Ａ２、Ａ３は０より大きい整数であり、または、前記処理ユニットは、シグナリング通知により前記周波数領域に占有されるリソースのサイズを決定し、及び、前記処理ユニットは、事前約定により前記周波数領域に占有されたソース位置を決定し、または、前記処理ユニットは、シグナリング通知により前記周波数領域に占有されるリソース位置を決定し、
前記処理ユニットは、前記時間領域に占有されるリソースのサイズが固定的に設定したＢ１個のシンボルまたはＢ２ｍｓであることを決定し、前記Ｂ１は０より大きい整数であり、Ｂ２は１より小さい小数であり、または、前記処理ユニットは、シグナリング通知により、前記時間領域に占有されるリソースのサイズを決定し、及び、前記処理ユニットは、事前約定により前記時間領域に占有されたソース位置を決定し、または、前記処理ユニットは、シグナリング通知により前記時間領域に占有されるリソース位置を決定する。
【００３１】
好ましくは、前記処理ユニットがアップリンク制御情報を伝送するリソースを決定するのは、
前記処理ユニットは、ダウンリンク・グラント・シグナリング（ＤＬ ｇｒａｎｔ）の通知によりアップリンク制御情報を伝送するリソースを決定し、前記ＤＬ ｇｒａｎｔに用いられるダウンリンク制御情報（ＤＣＩ）内の指示フィールドは、高位層シグナリングにより事前に設定した複数のリソース集合のうちの１つを示し、または、前記処理ユニットは、アップリンク・グラント・シグナリング（ＵＬ ｇｒａｎｔ）の通知によりアップリンク制御情報を伝送するリソースを決定し、前記ＵＬ ｇｒａｎｔに用いられるＤＣＩ内の第１指示フィールドは周波数領域に占有されるリソースのサイズ及び位置を示し、第２指示フィールドは少なくとも時間領域に占有されるリソースのサイズを示し、または、前記処理ユニットは、高位層シグナリングの通知によりアップリンク制御情報を伝送するリソースを決定し、前記高位層シグナリングにより少なくとも１つのリソース集合を設定し、２つ以上のリソース集合を設定する場合、前記処理ユニットは、そのうちから１つのリソース集合を選出する。
【００３２】
好ましくは、前記処理ユニットは、ＵＬ ｇｒａｎｔの通知によりアップリンク制御情報を伝送するリソースを決定し、前記ＵＬ ｇｒａｎｔに用いられるＤＣＩ内の第１指示フィールドが周波数領域に占有されるリソースのサイズ及び位置を示し、第２指示フィールドが少なくとも時間領域に占有されるリソースのサイズを示す場合、前記第２指示フィールドは、さらに、時間領域に占有されるリソース位置を示し、または、時間領域に占有されるリソース位置は事前約定された位置である。
【００３３】
好ましくは、前記処理ユニットは、ＤＬ ｇｒａｎｔの通知により、アップリンク制御情報を伝送するリソースを決定し、前記ＤＬ ｇｒａｎｔに用いられるＤＣＩ内の指示フィールドは、高位層シグナリングにより事前に設定した複数のリソース集合のうちの１つを示し、または、前記処理ユニットは、高位層シグナリングの通知によりアップリンク制御情報を伝送するリソースを決定し、前記高位層シグナリングにより少なくとも１つのリソース集合を設定し、２つ以上のリソース集合を設定する場合、前記処理ユニットは、そのうちから１つのリソース集合を選出するとき、リソース集合の設定は以下とおりであり、
リソース集合ごとに、周波数領域に占有されるリソースのサイズ及び位置と、時間領域に占有されるリソースのサイズとが含まれ、ここで、異なるリソース集合内の周波数領域に占有されたリソースのサイズ同様であるか異なり、及び/または、異なるリソース集合内の時間領域に占有されるリソースのサイズは同様であるか異なり、または、
周波数領域に占有されるリソースのサイズは端末側とネットワーク側の交渉により決めた固定値であり、リソース集合ごとに、周波数領域に占有されるリソース位置と、時間領域に占有されるリソースのサイズとが含まれ、ここで、異なるリソース集合内の時間領域に占有されるリソースのサイズは同様であるか異なり、または、
時間領域に占有されるリソースのサイズは端末側とネットワーク側の交渉により決めた固定値であり、リソース集合ごとに、周波数領域に占有されるリソースのサイズ及び位置が含まれ、ここで、異なるリソース集合内の周波数領域に占有されるリソースのサイズは同様であるか異なり、または、
時間領域に占有されるリソースのサイズは端末側とネットワーク側の交渉により決めた固定値であり、周波数領域に占有されるリソースのサイズは端末側とネットワーク側の交渉により決めた固定値であり、リソース集合ごとに、周波数領域に占有されるリソース位置が含まれる。
【００３４】
好ましくは、リソース集合ごとに時間領域に占有されるリソース位置が含まれ、または、時間領域に占有されるリソース位置は事前約定された位置である。
【００３５】
好ましくは、前記処理ユニットは、高位層シグナリングの通知によりアップリンク制御情報を伝送するリソースを決定し、前記高位層シグナリングにより少なくとも１つのリソース集合を設定し、２つ以上のリソース集合を設定する場合、前記処理ユニットがそのうちから１つのリソース集合を選出するのは、前記処理ユニットは、現在フィードバックすべきアップリンク制御情報のトータルビット数、及び各々リソース集合が特定なコードレートートにより算出した搬送可能な最大ビット数に基づき、選出されたリソース集合を決定し、または、異なるリソース集合に含まれる時間領域に占有されるリソースのサイズが異なる場合、前記処理ユニットは、各々リソース集合に含まれる時間領域に占有されるリソースのサイズに基づき、選出されたリソース集合を決定し、または、前記処理ユニットは、リソース集合内のシンボル数に基づき、選出されたリソース集合を決定する。
【００３６】
好ましくは、時間領域に占有されるリソース位置が事前約定された位置であれば、前記処理ユニットが時間領域に占有されるリソースの開始位置を決定するのは、
アップリンク制御情報が正確/エラーＡＣＫ/ＮＡＣＫフィードバック情報であれば、前記処理ユニットは、時間領域に占有されるリソースの開始位置を、インデックスがｎ+ｋである時間帯における１番目のシンボルとして決定し、前記ｎは、ＡＣＫ/ＮＡＣＫフィードバックすべきダウンリンクデータ伝送を行う時間帯のインデックスであり、ｋは所定の値であり、または、前記処理ユニットは、時間領域に占有されるリソースの開始位置を、ＡＣＫ/ＮＡＣＫフィードバックすべきダウンリンクデータ伝送を行う事前に分割されたダウンリンク伝送のための時間帯後の第ｋ番目の事前に分割されたアップリンク伝送のための時間帯における１番目のシンボルとして決定し、ｋは所定の値であり、または、前記処理ユニットは、時間領域に占有されるリソースの開始位置を、所定のタイミング関係を満足する１番目のシンボルとして決定し、前記シンボルは、アップリンク送信時間帯におけるシンボルであり、または、前記処理ユニットは、時間領域に占有されるリソースの開始位置と、所定のタイミング関係を満足する１つのアップリンク送信時間帯における１番目のシンボルとして決定し、ここで、前記タイミング関係を満足するのかは、１つのダウンリンクデータ伝送に用いられる最後１つのシンボルと、１つのアップリンク送信時間帯における１番目のシンボルの間のシンボル間隔により、決定され、
ここで、言及されたタイミング関係は処理遅延であり、前記処理遅延は、ダウンリンクデータ分析・処理時間と、ダウンリンクデータに対応するＡＣＫ/ＮＡＣＫフィードバック情報を生成するための時間とを含み、１つのダウンリンクデータの伝送終了時刻を基準とし、そのＡＣＫ/ＮＡＣＫフィードバック情報は、前記処理遅延を満足するアップリンクシンボルにおいて伝送され、
アップリンク制御情報が周期チャネル状態（ＣＳＩ）フィードバック情報である場合、
前記処理ユニットは、所定のＣＳＩフィードバック周期に基づき、時間領域に占有されるリソースの開始シンボル位置を決定し、ここで、前記周期はＹ１個のシンボルであり、Ｙ１は正整数であり、または、
前記処理ユニットは、所定のＣＳＩフィードバック周期に基づき、前記ＣＳＩフィードバック周期に対応する伝送ＣＳＩのサブフレーム内の所定のアップリンクシンボル位置を、時間領域に占有されるリソースの開始シンボル位置として決定し、前記ＣＳＩフィードバック周期はＹ２個のサブフレームであり、Ｙ２は正整数である。
【００３７】
好ましくは、決定されたリソースにおいてアップリンク制御情報を伝送する場合、前記通信ユニットは、非拡散モードで決定されたリソースにおいてアップリンク制御情報を伝送し、または、拡散モードで決定されたリソースにおいてアップリンク制御情報を伝送する。
【００３８】
好ましくは、非拡散モードで決定されたリソースにおいてアップリンク制御情報を伝送する場合、前記通信ユニットは、決定されたリソースにおけるデータ伝送用のＲＥ数及び用いられる変調・エンコーディング方式でエンコーディングビット数を決定し、さらに、前記エンコーディングビット数に基づいてアップリンク制御情報に対してチャネルエンコーディング及びレートマッチングを行い、対応の変調シンボルを得、前記通信ユニットは、得られた変調シンボルを、特定の順番に従って前記リソースにマッピングして伝送する。
【００３９】
好ましくは、拡散モードで決定されたリソースにおいてアップリンク制御情報を伝送する場合、前記通信ユニットは、決定されたリソースにおけるデータ伝送用のＲＥ数、拡散シーケンス長さ及び用いられる変調・エンコーディング方式でエンコーディングビット数を決定し、さらに、前記エンコーディングビット数に基づいてアップリンク制御情報に対してチャネルエンコーディング及びレートマッチングを行い、対応の変調シンボルを得、前記通信ユニットは、得られた各々変調シンボルと長さがＮである直交シーケンスを掛け算して、拡散された後の長さがＮである変調シンボルを得、さらに、前記長さがＮである変調シンボルを、前記リソースにおける１つのシンボル上の１ＲＥグループにマッピングして伝送し、前記１ＲＥグループにＮ個のＲＥが含まれ、前記Ｎは直交シーケンス長である。
【００４０】
好ましくは、決定された時間領域に占有されるリソースに複数のシンボルが含まれる場合、前記通信ユニットは、各々シンボルにおいて長さがＮである直交シーケンスを用いて周波数領域拡散を行い、または、前記通信ユニットは、時間領域において、長さがＢである直交シーケンスを用いて時間領域拡散を行い、前記Ｂは、時間領域に占有されるリソースに含まれるシンボル数のうちの、データ伝送に用いられるシンボル数であり、または、前記通信ユニットは、各々シンボルにおいて長さがＮである直交シーケンスを用いて周波数領域拡散を行い、かつ、前記通信ユニットは、時間領域において、長さがＢである直交シーケンスを用いて時間領域拡散を行い、前記Ｂは、時間領域に占有されるリソースに含まれるシンボル数のうちの、データ伝送に用いられるシンボル数である。
【００４１】
好ましくは、前記通信ユニットにより伝送されるアップリンク制御情報に特定なシーケンスが含まれ、前記特定なシーケンスは前記装置的識別子（ＩＤ）と関連し、少なくとも、他のネットワークエレメントが前記装置を識別すること、及び、前記装置への干渉を測定することに用いられる。
【００４２】
アップリンク制御情報の伝送装置は、プロセッサと、送受信とを備え、前記プロセッサは、メモリに格納されたプログラムを読み出し、アップリンク制御情報を伝送するリソースを決定し、前記リソースは、時間領域に占有されるリソース及び周波数領域に占有されるリソースを含み、ここで、前記時間領域に占有されるリソースの長さが１ｍｓより小さい、前記送受信機は、プロセッサの制御により決定されたリソースにおいてアップリンク制御情報を伝送する。こうして、短縮されたＴＴＩに対し（即ち、ｓｈｏｒｔｅｎｅｄ ＴＴＩ），アップリンク制御情報の伝送案を提供し、アップリンク制御情報の通常のフィードバックをサポートし、システム性能を確保する。
【００４３】
好ましくは、前記サのプロセッサにより決定されたアップリンク制御情報を伝送するリソースにおいて、周波数領域に占有されるリソースのサイズはサブキャリアＳＣ数により示され、または、リソースエレメントＲＥ数で示され、またはリソースユニット（ＲＵ）数で示され、ここで、ＲＵで示される場合、ＲＵは、事前に定義した時間領域においてＸ１個のシンボルを占有し、周波数領域においてＸ２個のＳＣまたはＲＥを占有するリソース領域であり、前記Ｘ２個のＳＣまたはＲＥは連続であるか非連続であり、前記Ｘ１及びＸ２は、事前に定義または設定されたものであり、前記サのプロセッサにより決定されたアップリンク制御情報を伝送するリソースにおいて、前記時間領域に占有されるリソースのサイズはシンボル数または期間長で示される。
【００４４】
好ましくは、前記プロセッサは、前記周波数領域に占有されるリソースのサイズを、固定的に設定したＡ１個のＳＣ、または、Ａ２個のＲＥ、または、Ａ３個のＲＵとして決定し、ここで、Ａ１、Ａ２、Ａ３は０より大きい整数であり、または、前記プロセッサは、シグナリング通知により、前記周波数領域に占有されるリソースのサイズを決定し、及び、前記プロセッサは、事前約定により前記周波数領域に占有されたソース位置を決定し、または、前記プロセッサは、シグナリング通知により前記周波数領域に占有されるリソース位置を決定し、前記プロセッサは、前記時間領域に占有されるリソースのサイズと、固定的に設定したＢ１個のシンボルまたはＢ２ｍｓとして決定し、前記Ｂ１は０より大きい整数であり、Ｂ２は１より小さい小数であり、または、前記プロセッサは、シグナリング通知により、前記時間領域に占有されるリソースのサイズを決定し、及び、前記プロセッサは、事前約定により前記時間領域に占有されたソース位置を決定し、または、前記プロセッサは、シグナリング通知により、前記時間領域に占有されるリソース位置を決定する。
【００４５】
好ましくは、前記プロセッサがアップリンク制御情報を伝送するリソースを決定するのは、前記プロセッサは、ダウンリンク・グラント・シグナリング（ＤＬ ｇｒａｎｔ）の通知によりアップリンク制御情報を伝送するリソースを決定し、前記ＤＬ ｇｒａｎｔに用いられるダウンリンク制御情報（ＤＣＩ）内の指示フィールドは、高位層シグナリングにより事前に設定した複数のリソース集合のうちの１つを示し、または、前記プロセッサは、アップリンク・グラント・シグナリング（ＵＬ ｇｒａｎｔ）の通知によりアップリンク制御情報を伝送するリソースを決定し、前記ＵＬ ｇｒａｎｔに用いられるＤＣＩ内の第１指示フィールドは周波数領域に占有されるリソースのサイズ及び位置を示し、第２指示フィールドは少なくとも時間領域に占有されるリソースのサイズを示し、または、前記プロセッサは、高位層シグナリングの通知によりアップリンク制御情報を伝送するリソースを決定し、前記高位層シグナリングにより少なくとも１つのリソース集合を設定し、２つ以上のリソース集合を設定する場合、前記プロセッサは、そのうちから１つのリソース集合を選出する。
【００４６】
好ましくは、前記プロセッサは、ＵＬ ｇｒａｎｔの通知により、アップリンク制御情報を伝送するリソースを決定する。ここで、ＵＬ ｇｒａｎｔに用いられるＤＣＩ内の第１指示フィールドが周波数領域に占有されるリソースのサイズ及び位置を示し、第２指示フィールドが少なくとも時間領域に占有されるリソースのサイズを示す場合、前記第２指示フィールドは、さらに、時間領域に占有されるリソース位置を示し、または、時間領域に占有されるリソース位置は事前約定された位置である。
【００４７】
好ましくは、前記プロセッサは、ＤＬ ｇｒａｎｔの通知によりアップリンク制御情報を伝送するリソースを決定し、前記ＤＬ ｇｒａｎｔに用いられるＤＣＩ内の指示フィールドは、高位層シグナリングにより事前に設定した複数のリソース集合のうちの１つを示し、または、前記プロセッサは、高位層シグナリングの通知によりアップリンク制御情報を伝送するリソースを決定し、前記高位層シグナリングにより少なくとも１つのリソース集合を設定し、２つ以上のリソース集合を設定する場合、前記プロセッサは、そのうちから１つのリソース集合を選出するとき、リソース集合の設定は以下とおりであり、リソース集合ごとに、周波数領域に占有されるリソースのサイズ及び位置と、時間領域に占有されるリソースのサイズとが含まれ、ここで、異なるリソース集合内の周波数領域に占有されたリソースのサイズ同様であるか異なり、及び/または、異なるリソース集合内の時間領域に占有されるリソースのサイズは同様であるか異なり、または、周波数領域に占有されるリソースのサイズは端末側とネットワーク側の交渉により決めた固定値であり、リソース集合ごとに、周波数領域に占有されるリソース位置と、時間領域に占有されるリソースのサイズとが含まれ、ここで、異なるリソース集合内の時間領域に占有されるリソースのサイズは同様であるか異なり、または、時間領域に占有されるリソースのサイズは端末側とネットワーク側の交渉により決めた固定値であり、リソース集合ごとに、周波数領域に占有されるリソースのサイズ及び位置が含まれ、ここで、異なるリソース集合内の周波数領域に占有されるリソースのサイズは同様であるか異なり、または、時間領域に占有されるリソースのサイズは端末側とネットワーク側の交渉により決めた固定値であり、周波数領域に占有されるリソースのサイズは端末側とネットワーク側の交渉により決めた固定値であり、リソース集合ごとに、周波数領域に占有されるリソース位置が含まれる。
【００４８】
好ましくは、リソース集合ごとに時間領域に占有されるリソース位置が含まれ、または、時間領域に占有されるリソース位置は事前約定された位置である。
【００４９】
好ましくは、前記プロセッサは、高位層シグナリングの通知によりアップリンク制御情報を伝送するリソースを決定し、前記高位層シグナリングにより少なくとも１つのリソース集合を設定し、２つ以上のリソース集合を設定する場合、前記プロセッサは、そのうちから１つのリソース集合を選出するのは、前記プロセッサは、現在フィードバックすべきアップリンク制御情報のトータルビット数、及び各々リソース集合が特定なコードレートートにより算出した搬送可能な最大ビット数に基づき、選出されたリソース集合を決定し、または、異なるリソース集合に含まれる時間領域に占有されるリソースのサイズが異なる場合、前記プロセッサは、各々リソース集合に含まれる時間領域に占有されるリソースのサイズに基づき、選出されたリソース集合を決定し、または、前記プロセッサは、リソース集合内のシンボル数に基づき、選出されたリソース集合を決定する。
【００５０】
好ましくは、時間領域に占有されるリソース位置が事前約定された位置であれば、前記プロセッサ画時間領域に占有されるリソースの開始位置を決定する場合、
アップリンク制御情報が正確/エラーＡＣＫ/ＮＡＣＫフィードバック情報であれば、前記プロセッサは以下とおりに動作され、
前記プロセッサは、時間領域に占有されるリソースの開始位置を、インデックスがｎ+ｋである時間帯における１番目のシンボルとして決定し、前記ｎは、ＡＣＫ/ＮＡＣＫフィードバックすべきダウンリンクデータ伝送を行う時間帯のインデックスであり、ｋは所定の値であり、または、前記プロセッサは、時間領域に占有されるリソースの開始位置と、ＡＣＫ/ＮＡＣＫフィードバックすべきダウンリンクデータ伝送を行う事前に分割されたダウンリンク伝送のための時間帯後の第ｋ番目の事前に分割されたアップリンク伝送のための時間帯における１番目のシンボルとして決定し、ｋは所定の値であり、または、前記プロセッサは、時間領域に占有されるリソースの開始位置と、所定のタイミング関係を満足する１番目のシンボルとして決定し、前記シンボルは、アップリンク送信時間帯におけるシンボルであり、または、前記プロセッサは、時間領域に占有されるリソースの開始位置を、所定のタイミング関係を満足する１つのアップリンク送信時間帯における１番目のシンボルに決定し、ここで、前記タイミング関係を満足するのかは、１つのダウンリンクデータ伝送に用いられる最後１つのシンボルと、１つのアップリンク送信時間帯における１番目のシンボルの間のシンボル間隔により、決定され、ここで、言及されたタイミング関係は処理遅延であり、前記処理遅延は、ダウンリンクデータ分析・処理時間と、ダウンリンクデータに対応するＡＣＫ/ＮＡＣＫフィードバック情報を生成するための時間とを含み、１つのダウンリンクデータの伝送終了時刻を基準とし、そのＡＣＫ/ＮＡＣＫフィードバック情報は、前記処理遅延を満足するアップリンクシンボルにおいて伝送され、
アップリンク制御情報が周期チャネル状態（ＣＳＩ）フィードバック情報である場合、前記プロセッサは、いかとおりに動作され、前記プロセッサは、所定のＣＳＩフィードバック周期に基づき、時間領域に占有されるリソースの開始シンボル位置を決定し、ここで、前記周期はＹ１個のシンボルであり、Ｙ１は正整数であり、または、前記プロセッサは、所定のＣＳＩフィードバック周期に基づき、前記ＣＳＩフィードバック周期に対応する伝送ＣＳＩのサブフレーム内の所定のアップリンクシンボル位置を、時間領域に占有されるリソースの開始シンボル位置として決定し、前記ＣＳＩフィードバック周期はＹ２個のサブフレームであり、Ｙ２は正整数である。
【００５１】
好ましくは、決定されたリソースにおいてアップリンク制御情報を伝送する場合、前記送受信機は、非拡散モードで決定されたリソースにおいてアップリンク制御情報を伝送し、または、拡散モードで決定されたリソースにおいてアップリンク制御情報を伝送する。
【００５２】
好ましくは、非拡散モードで決定されたリソースにおいてアップリンク制御情報を伝送する場合、前記送受信機は、決定されたリソースにおけるデータ伝送用のＲＥ数及び用いられる変調・エンコーディング方式でエンコーディングビット数を決定し、さらに、前記エンコーディングビット数に基づいてアップリンク制御情報に対してチャネルエンコーディング及びレートマッチングを行い、対応の変調シンボルを得、前記送受信機は、得られた変調シンボルを、特定の順番に従って前記リソースにマッピングして伝送する。
【００５３】
好ましくは、拡散モードで決定されたリソースにおいてアップリンク制御情報を伝送する場合、前記送受信機は、決定されたリソースにおけるデータ伝送用のＲＥ数、拡散シーケンス長さ及び用いられる変調・エンコーディング方式でエンコーディングビット数を決定し、さらに、前記エンコーディングビット数に基づいてアップリンク制御情報に対してチャネルエンコーディング及びレートマッチングを行い、対応の変調シンボルを得、前記送受信機は、得られた各々変調シンボルと長さがＮである直交シーケンスを掛け算して、拡散された後の長さがＮである変調シンボルを得、さらに、前記長さがＮである変調シンボルを、前記リソースにおける１つのシンボル上の１ＲＥグループにマッピングして伝送し、前記１ＲＥグループにＮ個のＲＥが含まれ、前記Ｎは直交シーケンス長である。
【００５４】
好ましくは、決定された時間領域に占有されるリソースに複数のシンボルが含まれる場合、前記送受信機は、さらに、各々シンボルにおいて長さがＮである直交シーケンスを用いて周波数領域拡散を行い、または、前記送受信機は、時間領域において使用長さがＢである直交シーケンスを用いて時間領域拡散を行い、前記Ｂは、時間領域に占有されるリソースに含まれるシンボル数のうちの、データ伝送に用いられるシンボル数であり、または、前記送受信機は、各々シンボルにおいて、長さがＮである直交シーケンスを用いて周波数領域拡散を行い、かつ、前記送受信機は、時間領域において使用長さがＢである直交シーケンスを用いて時間領域拡散を行い、前記Ｂは、時間領域に占有されるリソースに含まれるシンボル数のうちの、データ伝送に用いられるシンボル数である。
【００５５】
好ましくは、前記送受信機により伝送されるアップリンク制御情報に特定なシーケンスが含まれ、前記特定なシーケンスは前記装置的識別子（ＩＤ）と関連し、少なくとも、他のネットワークエレメントが前記装置を識別すること、及び、前記装置への干渉を測定することに用いられる。
【図面の簡単な説明】
【００５６】
【図１】従来技術のＬＴＥ ＦＤＤシステムのフレーム構成図である。
【図２】従来技術のＬＴＥＴＤＤシステムのフレーム構成図である。
【図３】ＬＴＥ-ＦＤＤシステムにおいてＨＡＲＱ考慮しない場合のアップリンクＵプレーン遅延を示す図である。
【図４】本発明に係る実施例においてアップリンク制御情報伝送のフローチャートである。
【図５】本発明に係る実施例において拡散場合用いられるパイロットパターンを示す図である。
【図６】本発明に係る実施例において拡散場合用いられるパイロットパターンを示す図である。
【図７】本発明に係る実施例において拡散場合用いられるパイロットパターンを示す図である。
【図８】本発明に係る実施例において拡散場合用いられるパイロットパターンを示す図である。
【図９】本発明に係る実施例において拡散場合用いられるパイロットパターンを示す図である。
【図１０】本発明に係る実施例において拡散場合用いられるパイロットパターンを示す図である。
【図１１】本発明に係る実施例において拡散場合用いられるパイロットパターンを示す図である。
【図１２】本発明に係る実施例において拡散場合用いられるパイロットパターンを示す図である。
【図１３】本発明に係る実施例の端末機能を示す図である。
【図１４】本発明に係る実施例の端末機能を示す図である。
【発明を実施するための形態】
【００５７】
以下、図面を参照しながら、本発明の好ましい実施例をさらに詳しく説明する。
【００５８】
図４に示すように、本発明に係る実施例において、アップリンク制御情報の伝送は、以下とおりである。
【００５９】
ステップ４００において、端末がアップリンク制御情報を伝送するリソースを決定し、前記リソースは、時間領域に占有されるリソース及び周波数領域に占有されるリソースを含み、前記時間領域に占有されるリソースの長さが１ｍｓより小さい。
【００６０】
ステップ４１０において、端末は決定されたリソースにおいてアップリンク制御情報を伝送する。
【００６１】
具体的に、ステップ４００における端末により決定されたアップリンク制御情報を伝送するリソースにおいて、周波数領域に占有されるリソースのサイズは、サブキャリア（Ｓｕｂ Ｃａｒｒｉｅｒ，ＳＣ）数により示されるか、または、リソースエレメント（Ｒｅｓｏｕｒｃｅ Ｅｌｅｍｅｎｔ，ＲＥ）数で示されるか、または、リソースユニット（Ｒｅｓｏｕｒｃｅ ｕｎｉｔ，ＲＵ）数で示される。ここで、ＲＵで示される場合、ＲＵは、事前に定義した時間領域においてＸ１個のシンボルを占有し、周波数領域においてＸ２個のＳＣまたはＲＥを占有するリソース領域であり、前記Ｘ２個のＳＣまたはＲＥは連続であるか非連続であり、前記Ｘ１及びＸ２は事前に定義されたものであるか設定されたものであり、Ｘ１、Ｘ２は０より大きい整数である。
【００６２】
端末は、前記周波数領域に占有されるリソースのサイズを、固定的に設定したＡ１個のＳＣ、または、Ａ２個のＲＥ、またはＡ３個のＲＵとして決定し、ここで、Ａ１、Ａ２、Ａ３は０より大きい整数であり、または、端末は、シグナリング通知により、前記周波数領域に占有されるリソースのサイズを決定し、及び、端末は、事前約定により前記周波数領域に占有されたソース位置を決定し、または、端末は、シグナリング通知により前記周波数領域に占有されるリソース位置を決定する。好ましくは、上述のシグナリングは、ブロードキャスト、ダウンリンク制御情報（Ｄｏｗｎｌｉｎｋ Ｃｏｎｔｒｏｌ Ｉｎｆｏｒｍａｔｉｏｎ，ＤＣＩ）、無線リソース制御（Ｒａｄｉｏ Ｒｅｓｏｕｒｃｅ Ｃｏｎｔｒｏｌ，ＲＲＣ）より搬送されることができる。
【００６３】
また、端末により決定されたアップリンク制御情報を伝送するリソースにおいて、前記時間領域に占有されるリソースのサイズはシンボル数または期間長で示される。
【００６４】
端末は、前記時間領域に占有されるリソースのサイズを固定的に設定したＢ１個のシンボルまたはＢ２ｍｓに決定し、前記Ｂ１は０より大きい整数であり、Ｂ２は１より小さい小数である。または、端末はシグナリング通知により時間領域に占有されるリソースのサイズを決定する。また、端末は、事前約定により前記時間領域に占有されたソース位置を決定し、または、端末は、シグナリング通知により前記時間領域に占有されるリソース位置を決定する。好ましくは、上述のシグナリングは、ブロードキャスト、ＤＣＩ、ＲＲＣ等の情報により搬送されることができる。
【００６５】
本発明に係る実施例において、ステップ４００を執行する場合、端末は、以下の方法でアップリンク制御情報を伝送するリソースを決定することができるが、これらに限られない。
【００６６】
<方法Ａ>端末は、ダウンリンク・グラント・シグナリング（ＤＬ ｇｒａｎｔ）の通知により、アップリンク制御情報を伝送するリソースを決定し、前記ＤＬ ｇｒａｎｔに用いられるＤＣＩ内の指示フィールドは、高位層シグナリングにより事前に設定した複数のリソース集合のうちの１つを示す。
【００６７】
具体的に、ＤＬ ｇｒａｎｔは、含まれるＤＣＩ内のＡＣＫ/ＮＡＣＫリソース指示（ＡＲＩ）フィールドにより、高位層シグナリング所定の複数のリソース集合のうちの1つを示す。
【００６８】
方法Ａの場合、高位層シグナリングにより、端末のために複数のリソース集合を事前に設定し、ネットワーク側は、ＤＬ ｇｒａｎｔにより、現在、どちらのリソース集合ないの指示されたリソースがアップリンク制御情報を伝送するのかを、端末に通知する。システムリソースのオーバーヘッドを減らすために、ネットワーク側は、上述の複数のリソース集合を、高位層シグナリングにより、複数の端末へともに設定し、また、ＤＬ ｇｒａｎｔにより、異なる端末が同一のサブフレームにおいて異なるリソース集合を用いることを指示する。
【００６９】
具体的に、リソース集合の設定には以下の方法を採用することができるが、これらに限定しない。
【００７０】
<方法Ａ-１>周波数領域に占有されるリソース及び時間領域に占有されるリソースのサイズが可変的である。
【００７１】
リソース集合ごとに、周波数領域に占有されるリソースのサイズ及び位置と、時間領域に占有されるリソースのサイズとが含まれる。ここで、異なるリソース集合内の周波数領域に占有されたリソースのサイズ同様であるか異なり、及び/または、異なるリソース集合内の時間領域に占有されるリソースのサイズは同様であるか異なる。
【００７２】
さらに、リソース集合ごとに、時間領域に占有されるリソース位置が含まれるか、または、時間領域に占有されるリソース位置は事前約定された位置である。
【００７３】
<方法Ａ-２>周波数領域に占有されるリソースのサイズは固定的であり、時間領域に占有されるリソースのサイズが可変的である。
【００７４】
周波数領域に占有されるリソースのサイズは端末側とネットワーク側の交渉により決めた固定値であり、リソース集合ごとに、周波数領域に占有されるリソース位置と、時間領域に占有されるリソースのサイズとが含まれる。ここで、異なるリソース集合内の時間領域に占有されるリソースのサイズは同様であるか異なる。または、リソース集合ごとに、周波数領域に占有されるリソース位置のみが含まれ、時間領域に占有されるリソースのサイズは、ＤＬ ｇｒａｎｔ内の他のビットにより示される。
【００７５】
さらに、リソース集合ごとに時間領域に占有されるリソース位置が含まれ、または、時間領域に占有されるリソース位置は事前約定された位置である。
【００７６】
<方法Ａ-３>周波数領域に占有されるリソースのサイズが可変的であり、時間領域に占有されるリソースのサイズは固定的である。
【００７７】
時間領域に占有されるリソースのサイズは端末側とネットワーク側の交渉により決めた固定値であり、リソース集合ごとに、周波数領域に占有されるリソースのサイズ及び位置が含まれ、ここで、異なるリソース集合内の周波数領域に占有されるリソース的大同様であるか異なる。
【００７８】
さらに、リソース集合ごとに時間領域に占有されるリソース位置が含まれ、または、時間領域に占有されるリソース位置は事前約定された位置である。
【００７９】
<方法Ａ-４>周波数領域に占有されるリソースのサイズは固定的であり、時間領域に占有されるリソースのサイズは固定的である。
【００８０】
時間領域に占有されるリソースのサイズは端末側とネットワーク側の交渉により決めた固定値であり、周波数領域に占有されるリソースのサイズは端末側とネットワーク側の交渉により決めた固定値であり、リソース集合ごとに、周波数領域に占有されるリソース位置が含まれる。
【００８１】
さらに、リソース集合ごとに時間領域に占有されるリソース位置が含まれ、または、時間領域に占有されるリソース位置は事前約定された位置である。
【００８２】
さらに、ＤＬ ｇｒａｎｔに含まれるＤＣＩ内のＡＲＩフィールは、ＤＣＩ内の伝送電力制御（ＴＰＣ，Ｔｒａｎｓｍｉｔ Ｐｏｗｅｒ Ｃｏｎｔｒｏｌ）フィールド、または、ＡＣＫ/ＮＡＣＫリソースオフセット（ＡＲＯ，ＡＣＫ/ＮＡＣＫ Ｒｅｓｏｕｒｃｅ Ｏｆｆｓｅｔ）指示フィールドの再利用であるか、または、事前に定義したビット数である。
【００８３】
<方法Ｂ>端末は、アップリンク・グラント・シグナリングＵＬ ｇｒａｎｔの通知によりアップリンク制御情報を伝送するリソースを決定する。ここで、ＵＬ ｇｒａｎｔに用いられるＤＣＩ内の第１指示フィールドは周波数領域に占有されるリソースのサイズ及び位置を示し、第２指示フィールドは少なくとも時間領域に占有されるリソースのサイズを示す。
【００８４】
さらに、第２指示フィールドは時間領域に占有されるリソース位置を示すこともでき、または、第２指示フィールドにより示されていない場合、時間領域に占有されるリソース位置は事前約定された位置である。
【００８５】
<方法Ｃ>端末は、高位層シグナリングの通知によりアップリンク制御情報を伝送するリソースを決定する。前記高位層シグナリングにより、少なくとも１つのリソース集合（１つまたは複数のリソース集合）が設定される。複数のリソース集合が設定された場合、端末はそのうちの１つのリソース集合を選出する。方法Ｃは、周期チャネル状態情報（Ｃｈａｎｎｅｌ Ｓｔａｔｅ Ｉｎｆｏｒｍａｔｉｏｎ，ＣＳＩ）フィードバック情報の場合適用できる。
【００８６】
具体的に、以下の方法でリソース集合を設定することができる。
【００８７】
〈方法Ｃ-１〉周波数領域に占有されるリソース及び時間領域に占有されるリソースのサイズのいずれも可変的である。
【００８８】
リソース集合ごとに、周波数領域に占有されるリソースのサイズ及び位置と、時間領域に占有されるリソースのサイズとが含まれる。ここで、異なるリソース集合内の周波数領域に占有されたリソースのサイズ同様であるか異なり、及び/または、異なるリソース集合内の時間領域に占有されるリソースのサイズは同様であるか異なる。
【００８９】
さらに、リソース集合ごとに時間領域に占有されるリソース位置が含まれ、または、時間領域に占有されるリソース位置は事前約定された位置である。
【００９０】
〈方法Ｃ-２〉周波数領域に占有されるリソースのサイズは固定的であり、時間領域に占有されるリソースのサイズが可変的である。
【００９１】
周波数領域に占有されるリソースのサイズは端末側とネットワーク側の交渉により決めた固定値である。リソース集合ごとに、周波数領域に占有されるリソース位置と、時間領域に占有されるリソースのサイズとが含まれる。ここで、異なるリソース集合内の時間領域に占有されるリソースのサイズは同様であるか異なる。
【００９２】
さらに、リソース集合ごとに時間領域に占有されるリソース位置が含まれ、または、時間領域に占有されるリソース位置は事前約定された位置である。
【００９３】
〈方法Ｃ-３〉周波数領域に占有されるリソースのサイズが可変的であり、時間領域に占有されるリソースのサイズは固定的である。
【００９４】
時間領域に占有されるリソースのサイズは端末側とネットワーク側の交渉により決めた固定値であり、リソース集合ごとに、周波数領域に占有されるリソースのサイズ及び位置が含まれる。ここで、異なるリソース集合内の周波数領域に占有されるリソース的大同様であるか異なる。
【００９５】
さらに、リソース集合ごとに時間領域に占有されるリソース位置が含まれ、または、時間領域に占有されるリソース位置は事前約定された位置である。
【００９６】
〈方法Ｃ-４〉周波数領域に占有されるリソースのサイズは固定的であり、時間領域に占有されるリソースのサイズは固定的である。
【００９７】
時間領域に占有されるリソースのサイズは端末側とネットワーク側の交渉により決めた固定値であり、周波数領域に占有されるリソースのサイズは端末側とネットワーク側の交渉により決めた固定値であり、リソース集合ごとに、周波数領域に占有されるリソース位置が含まれる。
【００９８】
さらに、リソース集合ごとに時間領域に占有されるリソース位置が含まれ、または、時間領域に占有されるリソース位置は事前約定された位置である。
【００９９】
方法Ｃを利用する場合、高位層シグナリングにより２つのリソース集合が設定された場合、端末はいかの２つの選出手段で１つのリソース集合を選出することができるが、これらの方法に限定されない。
【０１００】
＜選出手段１＞端末は、現在フィードバックすべきアップリンク制御情報のトータルビット数、及び各々リソース集合が特定なコードレートートにより算出した搬送可能な最大ビット数に基づき、選出されたリソース集合を決定する。または、異なるリソース集合に含まれる時間領域に占有されるリソースのサイズが異なる場合、端末は、各々リソース集合に含まれる時間領域に占有されるリソースのサイズに基づき、選出されたリソース集合を決定する。
【０１０１】
たとえば、アップリンク制御情報のトータルビット数が異なるリソース集合の搬送可能な最大ビット数の最小値を超えない場合、前記最小値に対応するリソース集合を選出するが、さも内地、たのリソース集合を選出する。
【０１０２】
＜選出手段２＞端末がリソース集合内のシンボル数に基づき、選出されたリソース集合を決定する。
【０１０３】
例えば、端末は、シンボル数が現在アップリンク伝送時間帯に含まれる最大シンボル数より小さいリソース集合を選出する。
【０１０４】
複数のリソース集合が上述の条件をまんぞくするか、または、全部のリソース集合が上述の条件を満足しない場合、選出手段１を利用する。
【０１０５】
さらに、上述の時間領域に占有されるリソースが事前約定された位置である場合、端末は状況に応じて異なる方法で時間領域に占有されるリソースの開始位置を決定することができる。時間領域に占有されるリソースのサイズは固定的であるか、またはリソース集合により通知されるため、時間領域に占有されるリソースの開始位置を取得した後、時間領域に占有されるリソースの具体的な位置（開始位置の最初の連続名複数のシンボル）を把握することができる。
【０１０６】
状況１の場合、アップリンク制御情報がＡＣＫ/ＮＡＣＫフィードバック情報であれば、端末が以下の２つの手段を採用することができるが、これらに限られない。
【０１０７】
〈手段Ａ〉端末は、時間領域に占有されるリソースの開始位置を、インデックスがｎ+ｋである時間帯における１番目のシンボルとして決定する。前記ｎは、ＡＣＫ/ＮＡＣＫフィードバックすべきダウンリンクデータ伝送を行う時間帯のインデックスであり、ｋは所定の値であり、ｎ及びｋは、０より大きいか、等しい整数である。
【０１０８】
〈手段Ｂ〉端末は、時間領域に占有されるリソースの開始位置を、ＡＣＫ/ＮＡＣＫフィードバックすべきダウンリンクデータ伝送を行う事前に分割されたダウンリンク伝送のための時間帯後の第ｋ番目の事前に分割されたアップリンク伝送のための時間帯における１番目のシンボルとして、決定し、ｋは所定の値である。
【０１０９】
〈手段Ｃ〉端末は、時間領域に占有されるリソースの開始位置と、所定のタイミング関係を満足する１番目のシンボルとして、決定し、前記シンボルは、アップリンク送信時間帯内の１つのシンボルである。
【０１１０】
〈手段Ｄ〉端末は、時間領域に占有されるリソースの開始位置を、所定のタイミング関係を満足する１つのアップリンク送信時間帯における１番目のシンボルとして、決定する。ここで、前記タイミング関係を満足するのかは、１つのダウンリンクデータ伝送に用いられる最後１つのシンボルと、１つのアップリンク送信時間帯における１番目のシンボルの間のシンボル間隔により、決定される。
【０１１１】
ここで、手段Ｃ及び手段Ｄに言及されたタイミング関係は処理遅延であり、前記処理遅延は、ダウンリンクデータ分析・処理時間と、ダウンリンクデータに対応するＡＣＫ/ＮＡＣＫフィードバック情報を生成するための時間とを含み。１つのダウンリンクデータの伝送終了時刻を基準とし、そのＡＣＫ/ＮＡＣＫフィードバック情報は、上述の処理遅延を満足するアップリンクシンボルにおいて伝送される。
【０１１２】
例えば、処理遅延がａ*ｂであれば、ａは事前に設定された定数であり、ａ=３、ｂは、ダウンリンクデータ伝送に占有されたシンボル数または期間長である。
【０１１３】
状況2の場合、アップリンク制御情報が周期ＣＳＩフィードバック情報であれば、端末は以下の２つの手段を利用することができるが、これらに限定されない。
【０１１４】
〈手段Ｅ〉端末は、所定のＣＳＩフィードバック周期に基づき、時間領域に占有されるリソースの開始シンボル位置を決定する。ここで、前記周期はＹ１個のシンボルであり、Ｙ１は正整数である。
【０１１５】
〈手段Ｆ〉端末は、所定のＣＳＩフィードバック周期に基づき、前記ＣＳＩフィードバック周期に対応する伝送ＣＳＩのサブフレーム内の所定のアップリンクシンボル位置を、時間領域に占有されるリソースの開始シンボル位置として決定する。前記ＣＳＩフィードバック周期はＹ２個のサブフレームであり、Ｙ２は正整数である。
【０１１６】
例えば、周波数領域に占有されるリソースの開始位置は、ＣＳＩサブフレーム内の１番目または最後のアップリンク伝送時間帯における１番目のシンボルである。
【０１１７】
さらに、例えば、ＣＳＩサブフレームにＡＣＫ/ＮＡＣＫフィードバック情報もともにあれば、周波数領域に占有されるリソースの開始位置は、前記ＣＳＩサブフレーム内のＡＣＫ/ＮＡＣＫフィードバック情報を伝送するシンボル位置である。
【０１１８】
本発明に係る実施例のステップ４１０を執行する場合、端末は、非拡散モードまたは拡散モードで決定されたリソースにおいて、アップリンク制御情報を伝送することができる。以下、詳しく説明する。
【０１１９】
〈方法１〉端末は、非拡散モードで決定されたリソースにおいてアップリンク制御情報を伝送するのは、まず、端末は、決定されたリソースにおけるデータ伝送用のＲＥ数及び用いられる変調・エンコーディング方式により、エンコーディングビット数を決定し、さらに、前記エンコーディングビット数に基づいてアップリンク制御情報に対してチャネルエンコーディング及びレートマッチングを行い、対応の変調シンボルを得る。
【０１２０】
好ましくは、上述のチャネルエンコーディングは、ＡビットＣＲＣ（，Ｃｙｃｌｉｃ Ｒｅｄｕｎｄａｎｃｙ Ｃｈｅｃｋ）+Ｔｕｒｂｏエンコーディング（ｔｕｒｂｏ ｃｏｄｉｎｇ） ｏｒＴＢＣＣ（，Ｔａｉｌ Ｂｉｔｉｎｇ Ｃｏｎｖｏｌｕｔｉｏｎａｌ Ｃｏｄｉｎｇ）方式であり、例えば、８ビットＣＲＣ+ＴＢＣＣ方式（即ち、ち、ＰＵＣＣＨ ｆｏｒｍａｔ ４/５方式）または２４ビットＣＲＣ+ｔｕｒｂｏ ｃｏｄｉｎｇ。
【０１２１】
次に、端末は、得られた変調シンボルを、特定の順番に従って前記リソースにマッピングして伝送する。
【０１２２】
例えば、マッピング至周波数領域にマッピングした後、時間領域にマッピングすることができ、または、まず時間領域にマッピングした後、周波数領域にマッピングすることもできる。
【０１２３】
さらに、前記リソースがＰＵＳＣＨに位置すれば、端末は、アップリンク制御情報をデータｄａｔａとともに伝送する必要があり、データと同様に処理する。
【０１２４】
〈方法２〉端末は、拡散モードで決定されたリソースにおいてアップリンク制御情報を伝送し，拡散モードは、ＯＣＣ（Ｏｒｔｈｏｇｏｎａｌ Ｃｏｖｅｒ Ｃｏｄｅ）を用いることができ、以下、詳しく説明する。
【０１２５】
まず、端末は、決定されたリソースにおけるデータ伝送用のＲＥ数、拡散シーケンス長さ及び用いられる変調・エンコーディング方式により、定エンコーディングビット数を決定し、さらに、前記エンコーディングビット数に基づいてアップリンク制御情報に対してチャネルエンコーディング及びレートマッチングを行い、対応の変調シンボルを得る。
【０１２６】
次に、得られた各々変調シンボルと長さがＮである直交シーケンスを掛け算して、拡散された後の長さがＮである変調シンボルを得、そして、前記長さがＮである変調シンボルを、前記リソース内の時間領域に占有されるリソース内の１つのシンボル上の１ＲＥグループにマッピングして伝送し、前記１ＲＥグループにＮ個のＲＥが含まれる。ここで、前記リソースうちの周波数領域に占有されるリソースにおいて、上述の１つのシンボル内に、Ｎ個のＲＥずつを１グループにして、周波数領域上のＯＣＣ拡散を行い、前記Ｎは直交シーケンス長であり、Ｎは１より大きい整数である。
【０１２７】
ここで、得られた全部の変調シンボルは、上述の1つのシンボル上の1つのＲＥグループにマッピングされて伝送を行い、前記１ＲＥグループ内のＲＥは、周波数領域において、連続に分布されているか、分散に分布されている。及び/または、得られた異なる変調シンボルは、上述の一个シンボル内の異なるＲＥグループ内のＲＥにマッピングされて伝送を行う。これらのＲＥグループ内のＲＥは、周波数領域において、平行にぶっぷされるか、または、交代に分布される。
【０１２８】
さらに、端末により決定された時間領域に占有されるリソースに複数のシンボルが含まれる場合、端末は、各々シンボルにおいて、上述の方式で、長さがＮである直交シーケンスをもちいて、周波数領域拡散を行う。または、端末は、時間領域において長さがＢである直交シーケンスを用いて時間領域拡散を行う。前記Ｂは、時間領域に占有されるリソースに含まれるシンボル数のうちの、データ伝送に用いられるシンボル数である。または、端末は、各々シンボルにおいて長さがＮである直交シーケンスを用いて周波数領域拡散を行い、かつ、端末は、時間領域において長さがＢである直交シーケンスを用いて時間領域拡散を行い、前記Ｂは、時間領域に占有されるリソースに含まれるシンボル数のうちの、データ伝送に用いられるシンボル数であり、Ｂは１より大きいか等しい整数である。
【０１２９】
また、パイロット数は上述と同様な方式で拡散さるか、または、パイロットが１シンボル上のデータ伝送帯域幅を占有して伝送去れる場合、サイクリック・シフト方式で拡散される。ここで、サイクリック・シフト間隔は、パイロットシーケンス長さと関連し、ｆｌｏｏｒ（パイロットシーケンス長さ/サイクリック・シフト間隔）がＮより小さくないかまたは、Ｎ*Ｍより小さくない必要があり、ｆｌｏｏｒは切り捨てして得られた値である。
【０１３０】
さらに、端末二より伝送されるアップリンク制御情報に、特定なシーケンスがさらに含まれる。前記特定なシーケンスは、前記端末の識別子（ＩＤ）と関連し、少なくとも、他のネットワークエレメント（他の端末及び/または基地局）の前記端末への識別に用いられ、また、他のネットワークエレメントの前記端末への干渉測定に用いられる。前記他の端末は本セル及び/または隣接セルにおける端末である。
【０１３１】
例えば、前記特定なシーケンスは、ＺＣシーケンスや、ｍシーケンスや、ＣＡＺＡＣシーケンス等のシーケンスにより生成されるが、他のシーケンスの生成方法を排除せず、ＵＥ ＩＤと関連し、自己相関性が高い、相互相関性が低いシーケンスであれば、本発明に利用できる。
【０１３２】
以下、具体的な実例でＯＣＣ拡散モードを詳しく説明する。具体的なＯＣＣ拡散モードは、以下の実例で説明されるが、当該実例に限られない。
【０１３３】
アップリンク制御情報伝送に占有されたシンボル（即ち、ち、ＳＣ−ＦＤＭＡシンボル、以下も同様であり、繰り返さない）の数が１であれば、周波数領域上の１２個のＲＥ（またはＳＣ）領域を例とし、ＯＣＣ長さＮが２の場合の周波数領域拡散及びマッピング方法は図５及び６に示される。
【０１３４】
アップリンク制御情報伝送に占有されたシンボル数が３であれば、周波数領域上の１２個のＲＥ（またはＳＣ）領域を例とする。
【０１３５】
第１種の実施態様は、シンボルごとに長さがＮ=２であるＯＣＣ拡散を行い、周波数領域拡散及びマッピング方は、データを搬送する各々シンボルにおいては同様であり、図７及び図８に示される。
【０１３６】
第２種の実施態様は、時間領域において、長さがＭ=２であるＯＣＣ拡散を行い、図９に示される。または、時間領域において長さがＭ=３であるＯＣＣ拡散を行い、図１０に示される。
【０１３７】
第３種の実施態様は、時間領域において長さがＭ=２であるＯＣＣ拡散を行い、周波数領域において長さがＮ=２であるＯＣＣ拡散を行い、図１１に示される。または、時間領域において長さがＭ=３であるＯＣＣ拡散を行い、周波数領域において長さがＮ=２であるＯＣＣ拡散を行い、図１２に示される。ここで、周波数領域ＯＣＣシーケンスは、時間領域ＯＣＣシーケンスと異なってもよい。
【０１３８】
図５、図７、図９、図１０において、パイロットはＬＴＥと類似する形で１シンボル上の全部のＲＥを占有すれば、図５の場合、前記アップリンク制御情報は、現在１シンボルにより伝送される場合、直前または直後のシンボル上のパイロットでチャネル推測を行うことができ、この際、パイロットは、従来のＬＴＥシステムのＰＵＣＣＨにしたがって設計され、周波数領域上のサイクリック・シフトを行うことができる。サイクリック・シフト間隔及びパイロット長さは、すくなくとも、データシンボルにより識別できるユーザー数より小さくない。パイロットは、データと類似する態様で、時間領域ＯＣＣ及び/または周波数領域ＯＣＣを行うことができる。
【０１３９】
図６、図８、図１０、図１２において、アップリンク伝送のパイロットとデータが１シンボルにおいて、周波数分割モードで伝送され、即ち、ち異なるＲＥを占有して伝送されれば、パイロット従来のＬＴＥシステムのＰＵＣＣＨにしたがって設計され、周波数領域上のサイクリック・シフトを行うことができる。サイクリック・シフト間隔及びパイロット長さは、少なくとも、データシンボルにより識別できるユーザー数より小さくない。パイロットは、データと類似する態様で、時間領域ＯＣＣ及び/または周波数領域ＯＣＣを行うことができる。
【０１４０】
上述の実施例において、周波数領域においてより多いＲＥが占有される場合、マッピング方が類似する。例えば、周波数領域においてＺ個の長さが１２であるＲＥが占有される場合、長さが１２であるＲＥ領域は、図５に示す同様な方法で拡散及びマッピングを行うか、または、Ｚ個の長さが１２であるＲＥを結合して、1つの長さが１２であるＲＥ領域の設計案と類似する方で、特定間隔の拡散及びマッピングを行うことができる。
【０１４１】
また、上述の図６、図８、図１０、図１２に示すパイロットパターン中の２つのパイロットシンボルの間隔として６個のＲＥであるが、その間隔を２、３、４、１２等のたの値に調整することができる。即ち、ち、パイロット時間領域及び/または周波数領域密度を変更し、その設計案は上述した案と類似するため、繰り返さない。
【０１４２】
ＯＣＣ長さは他の値であることもでき、例えば、Ｎ=３、４、５、６等、Ｍ=４、５等、その設計案は上述した案と類似するため、繰り返さない。
【０１４３】
以下、実例を挙げてアップリンク制御情報の伝送を詳しく説明する。
【０１４４】
伝送の実施は以下のとおりである。
【０１４５】
例えば、図５に示すパイロットパターンを利用し、即ち、ち、パイロット及びアップリンク制御情報それぞれが異なるシンボルを占有し、アップリンク制御情報伝送のリソースが時間領域上の１シンボル（即ち、ＳＣ−ＦＤＭＡシンボル、以下も同様であり、繰り返さない）、かつ、周波数領域上の２４個のＲＥであれば、ＱＰＳＫ（Ｑｕａｄｒａｔｕｒｅ Ｐｈａｓｅ Ｓｈｉｆｔ Ｋｅｙｉｎｇ）変調を採用する。
【０１４６】
この際、周波数領域ＯＣＣを利用しない場合、アップリンクデータ伝送に利用できるＲＥ総数が２４であり、搬送できるエンコーディングビット数が２４*２=４８である。オリジナル・アップリンク制御情報ビット数が８ビットであれば、８ビット情報にＣRＣ（例えば、８ビット）チェック情報を加算した後、チャネルエンコーディング及びレートマッチングを経て、４８ビットエンコーディングビット（この場合のコードレートが１/３である）を得、４８ビットエンコーディングビットをＱＰＳＫ変調した後、２４個の変調シンボルを得て、それぞれを上述の１シンボル上の２４個のＲＥ位置にマッピングする。具体的に、低周波数から高周波数順で逐一にマッピングしてもよく、高周波数から低周波数順で逐一にマッピングしてもよい。
【０１４７】
周波数領域ＯＣＣを利用する場合、図５に示すように、Ｎ=２であれば、異なるアップリンクデータ伝送に用いられるＲＥ数は１２（全部のＲＥが２４であるが、２つのＲＥにより搬送されるのは同様なオリジナルビットの拡散バージョンであり、実に搬送できる異なる変調シンボル数は１２であう）であり、搬送できるエンコーディングビット数は１２*２=２４であるため、同様なコードレートの場合、搬送できるオリジナル・アップリンク制御情報のビット数は低減されるか、または、同様なオリジナルビット数を搬送すれば、エンコーディングのコードレートが高くなる。
【０１４８】
オリジナル・アップリンク制御情報ビット数が８ビットであれば、８ビット情報にＣＲＣ（例えば、８ビット）を加算した後、チャネルエンコーディング及びレートマッチングを経て、２４ビットエンコーディングビット（この際のコードレートが１６/２４=２/３である）を得る。または、オリジナル・アップリンク制御情報ビット数が４ビットであれば、４ビット情報にＣＲＣ（例えば、８ビット）を加算した後、チャネルエンコーディング及びレートマッチングを経て、２４ビットエンコーディング情報（この際、コードレートが１２/２４=１/２である）を得る。２４ビットエンコーディングビットをＱＰＳＫ変調した後、１２個の変調シンボルを得、各々変調シンボルが長さが２であるＯＣＣ拡散された後に得られた２つの変調シンボルを、上述の１シンボル上の２個のＲＥ位置それぞれにマッピングし、特定の順番で拡散及びマッピングを逐一的に行う。具体的に、低周波数から高周波数順で逐一にマッピングしてもよく、高周波数から低周波数順で逐一にマッピングしてもよい。
【０１４９】
占有されたシンボル数及び/または周波数領域に占有されるリソースサイズ（ＲＥ数）を変更する場合、上述のエンコーディングビット数もしたがって変わり、コードレートが相変わらずであれば、搬送できるリジナル・アップリンク制御情報ビット数もしたがって変わる。
【０１５０】
また、例えば、図６に示すパイロットパターンを採用する場合、即ち、ち、パイロットとデータは同一のシンボルにおいて、周波数分割伝送を行い、アップリンク制御情報伝送のリソースが時間領域上の１シンボル、かつ、周波数領域上の２４個のＲＥであれば、ＱＰＳＫ変調を利用する。
【０１５１】
この際、周波数領域ＯＣＣを利用しない場合、アップリンクデータ伝送に利用できるＲＥ総数は２４-４=２０であり、搬送できるエンコーディングビット数は２０*２=４０である。オリジナル・アップリンク制御情報ビット数が８ビットであれば、８ビット情報にＣＲＣ（例えば、８ビット）チェック情報を加算した後、チャネルエンコーディング及びレートマッチングを経て４０ビットエンコーディングビット（この際のコードレートが１６/４０=２/５である）を得、４０ビットエンコーディングビットをＱＰＳＫ変調した後、２０個の変調シンボルを得て、それぞれを上述の１シンボル上の２０個のＲＥ位置にマッピングする。具体的に、低周波数から高周波数順で逐一にマッピングしてもよく、高周波数から低周波数順で逐一にマッピングしてもよい。
【０１５２】
周波数領域ＯＣＣを利用する場合、図６に示すように、Ｎ=２であり、異なるアップリンクデータ伝送に利用できるＲＥ数は（２４-４）/Ｎ=１０（データ伝送に用いられるＲＥが２０であるが、２つのＲＥが搬送するオリジナルビットの拡散バージョンが同一であるため、実に搬送できる異なる変調シンボル数は１０である）であり、搬送できるエンコーディングビット数は１０*２=２０である。よって、同様なコードレートの場合、搬送できるリジナル・アップリンク制御情報のビット数が低減され、または、同様なオリジナルビット数を搬送すれば、エンコーディングコードレートが高くなる。
【０１５３】
オリジナル・アップリンク制御情報ビット数が８ビットであれば、８ビット情報にＣＲＣ（例えば、８ビット）チェック情報を加算した後、チャネルエンコーディング及びレートマッチングを経て、２０ビットエンコーディングビット（この際のコードレートが１６/２０=４/５である）を得る。または、オリジナル・アップリンク制御情報ビット数が４ビットであれば、４ビット情報にＣＲＣ（例えば、８ビット）を加算した後、チャネルエンコーディング及びレートマッチングを経て、２０ビットエンコーディング情報（この際のコードレートが１２/２０=３/５である）を得る。２０ビットエンコーディングビットをＱＰＳＫ変調した後、１０個の変調シンボルを得る。各々変調シンボルが長さが２であるＯＣＣ拡散された後に得られた２つの変調シンボルを、それぞれ上述の１シンボル上の２つのＲＥ位置にマッピングし、特定の順番で拡散及びマッピングを逐一に行う。具体的に、低周波数から高周波数順で逐一にマッピングしてもよく、高周波数から低周波数順で逐一にマッピングしてもよい。
【０１５４】
占有されたシンボル数及び/または周波数領域に占有されるリソースサイズ（ＲＥ数）を変更する場合、上述のエンコーディングビット数もしたがって変わり、コードレートが相変わらずであれば、より多くのオリジナル・アップリンク制御情報ビット数を搬送することができる。
【０１５５】
図１３に示すように、本発明に係る実施例において、端末は、処理ユニット１３０と、通信ユニット１３１とを備える。
【０１５６】
前記処理ユニット１３０は、アップリンク制御情報を伝送するリソースを決定する。前記リソースは、時間領域に占有されるリソース及び周波数領域に占有されるリソースを含み、前記時間領域に占有されるリソースの長さが１ｍｓより小さい。
【０１５７】
前記通信ユニット１３１は、決定されたリソースにおいてアップリンク制御情報を伝送する。
【０１５８】
好ましくは、前記処理ユニット１３０に決定されたアップリンク制御情報を伝送するリソースにおいて、周波数領域に占有されるリソースのサイズはサブキャリアＳＣ数により示され、または、リソースエレメントＲＥ数で示され、またはリソースユニット（ＲＵ）数で示される。ここで、ＲＵで示される場合、ＲＵは、事前に定義した時間領域においてＸ１個のシンボルを占有し、周波数領域においてＸ２個のＳＣまたはＲＥを占有するリソース領域であり、前記Ｘ２個のＳＣまたはＲＥは連続であるか非連続であり、前記Ｘ１及びＸ２は、事前に定義または設定されたものである。
【０１５９】
前記処理ユニット１３０により決定されたアップリンク制御情報を伝送するリソースにおいて、前記時間領域に占有されるリソースのサイズはシンボル数または期間長で示される。
【０１６０】
好ましくは、前記処理ユニット１３０は、前記周波数領域に占有されるリソースのサイズを、固定的に設定したＡ１個のＳＣ、または、Ａ２個のＲＥ、または、Ａ３個のＲＵとして決定する。ここで、Ａ１、Ａ２、Ａ３は０より大きい整数である。前記処理ユニット１３０、シグナリング通知により前記周波数領域に占有されるリソースのサイズを決定し、事前約定により前記周波数領域に占有されたソース位置を決定し、または、前記処理ユニット１３０は、シグナリング通知により前記周波数領域に占有されるリソース位置を決定する。
【０１６１】
前記処理ユニット１３０は、前記時間領域に占有されるリソースのサイズを、固定的に設定したＢ１個のシンボルまたはＢ２ｍｓに決定し、前記Ｂ１は０より大きい整数であり、Ｂ２は１より小さい小数である 。前記処理ユニット１３０は、シグナリング通知により、前記時間領域に占有されるリソースのサイズを決定し、事前約定により前記時間領域に占有されたソース位置を決定し、または、前記処理ユニット１３０は、シグナリング通知により前記時間領域に占有されるリソース位置を決定する。
【０１６２】
好ましくは、前記処理ユニット１３０がアップリンク制御情報を伝送するリソースを決定するのは、
前記処理ユニット１３０は、ダウンリンク・グラント・シグナリング（ＤＬ ｇｒａｎｔ）の通知によりアップリンク制御情報を伝送するリソースを決定し、前記ＤＬ ｇｒａｎｔに用いられるダウンリンク制御情報（ＤＣＩ）内の指示フィールドは、高位層シグナリングにより事前に設定した複数のリソース集合のうちの１つを示す。
【０１６３】
または、前記処理ユニット１３０は、アップリンク・グラント・シグナリング（ＵＬ ｇｒａｎｔ）の通知によりアップリンク制御情報を伝送するリソースを決定する。ここで、ＵＬ ｇｒａｎｔに用いられるＤＣＩ内の第１指示フィールドは周波数領域に占有されるリソースのサイズ及び位置を示し、第２指示フィールドは少なくとも時間領域に占有されるリソースのサイズを示す。
【０１６４】
または、前記処理ユニット１３０は、高位層シグナリングの通知によりアップリンク制御情報を伝送するリソースを決定する。前記高位層シグナリングにより少なくとも１つのリソース集合を設定し、２つ以上のリソース集合を設定する場合、前記処理ユニット１３０は、そのうちから１つのリソース集合を選出する。
【０１６５】
好ましくは、前記処理ユニット１３０は、ＵＬ ｇｒａｎｔの通知によりアップリンク制御情報を伝送するリソースを決定する。前記ＵＬ ｇｒａｎｔに用いられるＤＣＩ内の第１指示フィールドが周波数領域に占有されるリソースのサイズ及び位置を示し、第２指示フィールドが少なくとも時間領域に占有されるリソースのサイズを示す場合、前記第２指示フィールドは、さらに、時間領域に占有されるリソース位置を示し、または、時間領域に占有されるリソース位置は事前約定された位置である。
【０１６６】
好ましくは、前記処理ユニット１３０は、ＤＬ ｇｒａｎｔの通知によりアップリンク制御情報を伝送するリソースを決定し、前記ＤＬ ｇｒａｎｔに用いられるＤＣＩ内の指示フィールドは、高位層シグナリングにより事前に設定した複数のリソース集合のうちの１つを示す。または、前記処理ユニット１３０は、高位層シグナリングの通知によりアップリンク制御情報を伝送するリソースを決定する。前記高位層シグナリングにより少なくとも１つのリソース集合を設定し、２つ以上のリソース集合を設定する場合、前記処理ユニット１３０は、そのうちから１つのリソース集合を選出するとき、リソース集合の設定は以下とおりである。
【０１６７】
リソース集合ごとに、周波数領域に占有されるリソースのサイズ及び位置と、時間領域に占有されるリソースのサイズとが含まれる。ここで、異なるリソース集合内の周波数領域に占有されたリソースのサイズ同様であるか異なり、及び/または、異なるリソース集合内の時間領域に占有されるリソースのサイズは同様であるか異なる。
【０１６８】
または、周波数領域に占有されるリソースのサイズは端末側とネットワーク側の交渉により決めた固定値であり、リソース集合ごとに、周波数領域に占有されるリソース位置と、時間領域に占有されるリソースのサイズとが含まれ、ここで、異なるリソース集合内の時間領域に占有されるリソースのサイズは同様であるか異なる。
【０１６９】
または、時間領域に占有されるリソースのサイズは端末側とネットワーク側の交渉により決めた固定値であり、リソース集合ごとに、周波数領域に占有されるリソースのサイズ及び位置が含まれ、ここで、異なるリソース集合内の周波数領域に占有されるリソースのサイズは同様であるか異なる。
【０１７０】
または、時間領域に占有されるリソースのサイズは端末側とネットワーク側の交渉により決めた固定値であり、周波数領域に占有されるリソースのサイズは端末側とネットワーク側の交渉により決めた固定値であり、リソース集合ごとに、周波数領域に占有されるリソース位置が含まれる。
【０１７１】
好ましくは、さらに、リソース集合ごとに時間領域に占有されるリソース位置が含まれ、または、時間領域に占有されるリソース位置は事前約定された位置である。
【０１７２】
好ましくは、前記処理ユニット１３０は、高位層シグナリングの通知によりアップリンク制御情報を伝送するリソースを決定する。前記高位層シグナリングにより少なくとも１つのリソース集合を設定し、２つ以上のリソース集合を設定する場合、前記処理ユニット１３０は、そのうちから１つのリソース集合を選出するとき、前記処理ユニット１３０は、現在フィードバックすべきアップリンク制御情報のトータルビット数、及び各々リソース集合が特定なコードレートートにより算出した搬送可能な最大ビット数に基づき、選出されたリソース集合を決定する。
【０１７３】
または、異なるリソース集合に含まれる時間領域に占有されるリソースのサイズが異なる場合、前記処理ユニット１３０は、おのおのリソース集合に含まれる時間領域に占有されるリソースのサイズに基づき、選出されたリソース集合を決定する。
【０１７４】
または、前記処理ユニット１３０は、リソース集合内のシンボル数に基づき、選出されたリソース集合を決定する。
【０１７５】
好ましくは、時間領域に占有されるリソース位置が事前約定された位置であれば、前記処理ユニット１３０が時間領域に占有されるリソースの開始位置を決定するとき、アップリンク制御情報が正確/エラーＡＣＫ/ＮＡＣＫフィードバック情報であれば、前記処理ユニット１３０は、以下とおりに動作する。
【０１７６】
前記処理ユニット１３０は、時間領域に占有されるリソースの開始位置と、インデックスがｎ+ｋである時間帯における１番目のシンボルとして決定し、前記ｎは、ＡＣＫ/ＮＡＣＫフィードバックすべきダウンリンクデータ伝送を行う時間帯のインデックスであり、ｋは所定の値である。または、前記処理ユニット１３０は、時間領域に占有されるリソースの開始位置を、ＡＣＫ/ＮＡＣＫフィードバックすべきダウンリンクデータ伝送を行う事前に分割されたダウンリンク伝送のための時間帯後の第ｋ番目の事前に分割されたアップリンク伝送のための時間帯における１番目のシンボルとして決定し、ｋは所定の値である。または、前記処理ユニット１３０は、時間領域に占有されるリソースの開始位置を、所定のタイミング関係を満足する１番目のシンボルとして決定し、前記シンボルは、アップリンク送信時間帯におけるシンボルである。または、前記処理ユニット１３０は、時間領域に占有されるリソースの開始位置を、所定のタイミング関係を満足する１つのアップリンク送信時間帯における１番目のシンボルとして決定し、ここで、前記タイミング関係を満足するのかは、１つのダウンリンクデータ伝送に用いられる最後１つのシンボルと、１つのアップリンク送信時間帯における１番目のシンボルの間のシンボル間隔により、決定される。
【０１７７】
ここで、言及されたタイミング関係は処理遅延であり、前記処理遅延は、ダウンリンクデータ分析・処理時間と、ダウンリンクデータに対応するＡＣＫ/ＮＡＣＫフィードバック情報を生成するための時間とを含む。１つのダウンリンクデータの伝送終了時刻を基準とし、そのＡＣＫ/ＮＡＣＫフィードバック情報は、前記処理遅延を満足するアップリンクシンボルにおいて伝送される。
【０１７８】
アップリンク制御情報が周期チャネル状態（ＣＳＩ）フィードバック情報である場合、前記処理ユニット１３０はいかとおりに動作する。
【０１７９】
前記処理ユニット１３０は、所定のＣＳＩフィードバック周期に基づき、時間領域に占有されるリソースの開始シンボル位置を決定する。ここで、前記周期はＹ１個のシンボルであり、Ｙ１は正整数である。
【０１８０】
または、前記処理ユニット１３０は、所定のＣＳＩフィードバック周期に基づき、前記ＣＳＩフィードバック周期に対応する伝送ＣＳＩのサブフレーム内の所定のアップリンクシンボル位置を、時間領域に占有されるリソースの開始シンボル位置として決定し、前記ＣＳＩフィードバック周期はＹ２個のサブフレームであり、Ｙ２は正整数である。
【０１８１】
好ましくは、決定されたリソースにおいてアップリンク制御情報を伝送する場合、前記通信ユニット１３１は、非拡散モードで決定されたリソースにおいてアップリンク制御情報を伝送する。または、拡散モードで決定されたリソースにおいてアップリンク制御情報を伝送する。
【０１８２】
好ましくは、非拡散モードで決定されたリソースにおいてアップリンク制御情報を伝送する場合、前記通信ユニット１３１は、決定されたリソースにおけるデータ伝送用のＲＥ数及び用いられる変調・エンコーディング方式でエンコーディングビット数を決定し、さらに、前記エンコーディングビット数に基づいてアップリンク制御情報に対してチャネルエンコーディング及びレートマッチングを行い、対応の変調シンボルを得る。
【０１８３】
前記通信ユニット１３１は、得られた変調シンボルを、特定の順番に従って前記リソースにマッピングして伝送する。
【０１８４】
好ましくは、拡散モードで決定されたリソースにおいてアップリンク制御情報を伝送する場合、前記通信ユニット１３１は、決定されたリソースにおけるデータ伝送用のＲＥ数、拡散シーケンス長さ及び用いられる変調・エンコーディング方式でエンコーディングビット数を決定し、さらに、前記エンコーディングビット数に基づいてアップリンク制御情報に対してチャネルエンコーディング及びレートマッチングを行い、対応の変調シンボルを得る。
【０１８５】
前記通信ユニット１３１は、得られた各々変調シンボルと長さがＮである直交シーケンスを掛け算して、拡散された後の長さがＮである変調シンボルを得、さらに、前記長さがＮである変調シンボルを、前記リソースにおける１つのシンボル上の１ＲＥグループにマッピングして伝送し、前記１ＲＥグループにＮ個のＲＥが含まれ；前記Ｎは直交シーケンス長である。
【０１８６】
好ましくは、決定された時間領域に占有されるリソースに複数のシンボルが含まれる場合、前記通信ユニット１３１は、各々シンボルにおいて長さがＮである直交シーケンスを用いて周波数領域拡散を行う。または、前記通信ユニット１３１は、時間領域において、長さがＢである直交シーケンスを用いて時間領域拡散を行い、前記Ｂは、時間領域に占有されるリソースに含まれるシンボル数のうちの、データ伝送に用いられるシンボル数である。または、前記通信ユニット１３１は、各々シンボル上において、長さがＮである直交シーケンスを用いて周波数領域拡散を行い、かつ、前記通信ユニット１３１は、時間領域において、長さがＢである直交シーケンスを用いて時間領域拡散を行い、前記Ｂは、時間領域に占有されるリソースに含まれるシンボル数のうちの、データ伝送に用いられるシンボル数である。
【０１８７】
好ましくは、前記通信ユニット１３１により伝送されるアップリンク制御情報に特定なシーケンスが含まれ、前記特定なシーケンスは前記装置的識別子（ＩＤ）と関連し、少なくとも、他のネットワークエレメントが前記装置を識別すること、及び、前記装置への干渉を測定することに用いられる。
【０１８８】
図１４に示すように、本発明に係る実施例において、端末は、プロセッサ１４０と、送受信機１４１とを備える。
【０１８９】
前記プロセッサ１４０は、メモリに格納されたプログラムを読み出して、アップリンク制御情報を伝送するリソースを決定する。前記リソースは、時間領域に占有されるリソース及び周波数領域に占有されるリソースを含む。前記時間領域に占有されるリソースの長さが１ｍｓより小さい。
【０１９０】
前記送受信機１４１は、プロセッサの制御により決定されたリソースにおいてアップリンク制御情報を伝送する。
【０１９１】
好ましくは、前記プロセッサ１４０により決定されたアップリンク制御情報を伝送するリソースにおいて、周波数領域に占有されるリソースのサイズはサブキャリアＳＣ数により示され、または、リソースエレメントＲＥ数で示され、またはリソースユニット（ＲＵ）数で示される。ここで、ＲＵで示される場合、ＲＵは、事前に定義した時間領域においてＸ１個のシンボルを占有し、周波数領域においてＸ２個のＳＣまたはＲＥを占有するリソース領域であり、前記Ｘ２個のＳＣまたはＲＥは連続であるか非連続であり、前記Ｘ１及びＸ２は、事前に定義または設定されたものである。
【０１９２】
前記プロセッサ１４０により決定されたアップリンク制御情報を伝送するリソースにおいて、前記時間領域に占有されるリソースのサイズはシンボル数または期間長で示される。
【０１９３】
好ましくは、前記プロセッサ１４０は、前記周波数領域に占有されるリソースのサイズを、固定的に設定したＡ１個のＳＣ、または、Ａ２個のＲＥ、または、Ａ３個のＲＵとして決定する。ここで、Ａ１、Ａ２、Ａ３は０より大きい整数である。または、前記プロセッサ１４０は、シグナリング通知により前記周波数領域に占有されるリソースのサイズを決定する。また、前記プロセッサ１４０は、事前約定により前記周波数領域に占有されたソース位置を決定する。または、前記プロセッサ１４０は、シグナリング通知により前記周波数領域に占有されるリソース位置を決定する。
【０１９４】
前記プロセッサ１４０は、前記時間領域に占有されるリソースのサイズを、固定的に設定したＢ１個のシンボルまたはＢ２ｍｓに決定し、前記Ｂ１は０より大きい整数であり、Ｂ２は１より小さい小数である。または、前記プロセッサ１４０は、シグナリング通知により前記時間領域に占有されるリソースのサイズを決定する。また、前記プロセッサ１４０は、事前約定により前記時間領域に占有されたソース位置を決定する。または、前記プロセッサ１４０は、シグナリング通知により前記時間領域に占有されるリソース位置を決定する。
【０１９５】
好ましくは、前記プロセッサ１４０がアップリンク制御情報を伝送するリソースを決定するのは、具体的に、前記プロセッサ１４０は、ダウンリンク・グラント・シグナリング（ＤＬ ｇｒａｎｔ）の通知によりアップリンク制御情報を伝送するリソースを決定する。ここで、ＤＬ ｇｒａｎｔに用いられるダウンリンク制御情報（ＤＣＩ）内の指示フィールドは、高位層シグナリングにより事前に設定した複数のリソース集合のうちの１つを示す。
【０１９６】
または、前記プロセッサ１４０は、アップリンク・グラント・シグナリング（ＵＬ ｇｒａｎｔ）の通知によりアップリンク制御情報を伝送するリソースを決定する。ここで、ＵＬ ｇｒａｎｔに用いられるＤＣＩ内の第１指示フィールドは周波数領域に占有されるリソースのサイズ及び位置を示し、第２指示フィールドは少なくとも時間領域に占有されるリソースのサイズを示す。
【０１９７】
または、前記プロセッサ１４０は、高位層シグナリングの通知によりアップリンク制御情報を伝送するリソースを決定する。前記高位層シグナリングにより少なくとも１つのリソース集合を設定し、２つ以上のリソース集合を設定する場合、前記プロセッサ１４０は、そのうちから１つのリソース集合を選出する。
【０１９８】
好ましくは、前記プロセッサ１４０は、ＵＬ ｇｒａｎｔの通知によりアップリンク制御情報を伝送するリソースを決定する。前記ＵＬ ｇｒａｎｔに用いられるＤＣＩ内の第１指示フィールドが周波数領域に占有されるリソースのサイズ及び位置を示し、第２指示フィールドが少なくとも時間領域に占有されるリソースのサイズを示す場合、前記第２指示フィールドは、さらに、時間領域に占有されるリソース位置を示し、または、時間領域に占有されるリソース位置は事前約定された位置である。
【０１９９】
好ましくは、前記プロセッサ１４０は、ＤＬ ｇｒａｎｔの通知によりアップリンク制御情報を伝送するリソースを決定し、前記ＤＬ ｇｒａｎｔに用いられるＤＣＩ内の指示フィールドは、高位層シグナリングにより事前に設定した複数のリソース集合のうちの１つを示す。または、前記プロセッサ１４０は、高位層シグナリングの通知によりアップリンク制御情報を伝送するリソースを決定する。前記高位層シグナリングにより少なくとも１つのリソース集合を設定し、２つ以上のリソース集合を設定する場合、前記プロセッサ１４０は、そのうちから１つのリソース集合を選出するとき、リソース集合の設定は以下とおりである。
【０２００】
リソース集合ごとに、周波数領域に占有されるリソースのサイズ及び位置と、時間領域に占有されるリソースのサイズとが含まれ、ここで、異なるリソース集合内の周波数領域に占有されたリソースのサイズ同様であるか異なり、及び/または、異なるリソース集合内の時間領域に占有されるリソースのサイズは同様であるか異なる。
【０２０１】
または、周波数領域に占有されるリソースのサイズは端末側とネットワーク側の交渉により決めた固定値であり、リソース集合ごとに、周波数領域に占有されるリソース位置と、時間領域に占有されるリソースのサイズとが含まれ、ここで、異なるリソース集合内の時間領域に占有されるリソースのサイズは同様であるか異なる。
【０２０２】
または、時間領域に占有されるリソースのサイズは端末側とネットワーク側の交渉により決めた固定値であり、リソース集合ごとに、周波数領域に占有されるリソースのサイズ及び位置が含まれ、ここで、異なるリソース集合内の周波数領域に占有されるリソースのサイズは同様であるか異なる。
【０２０３】
または、時間領域に占有されるリソースのサイズは端末側とネットワーク側の交渉により決めた固定値であり、周波数領域に占有されるリソースのサイズは端末側とネットワーク側の交渉により決めた固定値であり、リソース集合ごとに、周波数領域に占有されるリソース位置が含まれる。
【０２０４】
好ましくは、さらに、リソース集合ごとに時間領域に占有されるリソース位置が含まれ、または、時間領域に占有されるリソース位置は事前約定された位置である。
【０２０５】
好ましくは、前記プロセッサ１４０は、高位層シグナリングの通知によりアップリンク制御情報を伝送するリソースを決定し、前記高位層シグナリングにより少なくとも１つのリソース集合を設定し、２つ以上のリソース集合を設定する場合、前記プロセッサ１４０は、そのうちから１つのリソース集合を選出するとき、前記プロセッサ１４０は、現在フィードバックすべきアップリンク制御情報のトータルビット数、及び各々リソース集合が特定なコードレートートにより算出した搬送可能な最大ビット数に基づき、選出されたリソース集合を決定する。
【０２０６】
または、異なるリソース集合に含まれる時間領域に占有されるリソースのサイズが異なる場合、前記プロセッサ１４０は、おのおのリソース集合に含まれる時間領域に占有されるリソースのサイズに基づき、選出されたリソース集合を決定する。
【０２０７】
または、前記プロセッサ１４０は、リソース集合内のシンボル数に基づき、選出されたリソース集合を決定する。
【０２０８】
好ましくは、時間領域に占有されるリソース位置が事前約定された位置であれば、前記プロセッサ１４０が時間領域に占有されるリソースの開始位置を決定する場合、アップリンク制御情報が正確/エラーＡＣＫ/ＮＡＣＫフィードバック情報であれば、前記プロセッサ１４０は以下とおりに動作する。
【０２０９】
前記プロセッサ１４０は、時間領域に占有されるリソースの開始位置と、インデックスがｎ+ｋである時間帯における１番目のシンボルとして決定し、前記ｎは、ＡＣＫ/ＮＡＣＫフィードバックすべきダウンリンクデータ伝送を行う時間帯のインデックスであり、ｋは所定の値である。または、前記プロセッサ１４０は、時間領域に占有されるリソースの開始位置を、ＡＣＫ/ＮＡＣＫフィードバックすべきダウンリンクデータ伝送を行う事前に分割されたダウンリンク伝送のための時間帯後の第ｋ番目の事前に分割されたアップリンク伝送のための時間帯における１番目のシンボルとして決定し、ｋは所定の値であり、または、前記プロセッサ１４０は、時間領域に占有されるリソースの開始位置を、所定のタイミング関係を満足する１番目のシンボルとして決定し、前記シンボルは、アップリンク送信時間帯におけるシンボルである。または、前記プロセッサ１４０は、時間領域に占有されるリソースの開始位置を、所定のタイミング関係を満足する１つのアップリンク送信時間帯における１番目のシンボルとして決定し、ここで、前記タイミング関係を満足するのかは、１つのダウンリンクデータ伝送に用いられる最後１つのシンボルと、１つのアップリンク送信時間帯における１番目のシンボルの間のシンボル間隔により、決定される。
【０２１０】
ここで、言及されたタイミング関係は処理遅延であり、前記処理遅延は、ダウンリンクデータ分析・処理時間と、ダウンリンクデータに対応するＡＣＫ/ＮＡＣＫフィードバック情報を生成するための時間とを含む。１つのダウンリンクデータの伝送終了時刻を基準とし、そのＡＣＫ/ＮＡＣＫフィードバック情報は、前記処理遅延を満足するアップリンクシンボルにおいて伝送される。
【０２１１】
アップリンク制御情報が周期チャネル状態（ＣＳＩ）フィードバック情報である場合、前記プロセッサ１４０は以下とおりに動作する。
【０２１２】
前記プロセッサ１４０は、所定のＣＳＩフィードバック周期に基づき、時間領域に占有されるリソースの開始シンボル位置を決定し、ここで、前記周期はＹ１個のシンボルであり、Ｙ１は正整数である。
【０２１３】
または、前記プロセッサ１４０は、所定のＣＳＩフィードバック周期に基づき、前記ＣＳＩフィードバック周期に対応する伝送ＣＳＩのサブフレーム内の所定のアップリンクシンボル位置を、時間領域に占有されるリソースの開始シンボル位置として決定し、前記ＣＳＩフィードバック周期はＹ２個のサブフレームであり、Ｙ２は正整数である。
【０２１４】
好ましくは、決定されたリソースにおいてアップリンク制御情報を伝送する場合、前記送受信機１４１は、非拡散モードで決定されたリソースにおいてアップリンク制御情報を伝送する。または、拡散モードで決定されたリソースにおいてアップリンク制御情報を伝送する。
【０２１５】
好ましくは、非拡散モードで決定されたリソースにおいてアップリンク制御情報を伝送する場合、前記送受信機１４１は、決定されたリソースにおけるデータ伝送用のＲＥ数及び用いられる変調・エンコーディング方式でエンコーディングビット数を決定し、さらに、前記エンコーディングビット数に基づいてアップリンク制御情報に対してチャネルエンコーディング及びレートマッチングを行い、対応の変調シンボルを得る。
【０２１６】
前記送受信機１４１は、得られた変調シンボルを、特定の順番に従って前記リソースにマッピングして伝送する。
【０２１７】
好ましくは、拡散モードで決定されたリソースにおいてアップリンク制御情報を伝送する場合、前記送受信機１４１は、決定されたリソースにおけるデータ伝送用のＲＥ数、拡散シーケンス長さ及び用いられる変調・エンコーディング方式でエンコーディングビット数を決定し、さらに、前記エンコーディングビット数に基づいてアップリンク制御情報に対してチャネルエンコーディング及びレートマッチングを行い、対応の変調シンボルを得る。
【０２１８】
前記送受信機１４１は、得られた各々変調シンボルと長さがＮである直交シーケンスを掛け算して、拡散された後の長さがＮである変調シンボルを得、さらに、前記長さがＮである変調シンボルを、前記リソースにおける１つのシンボル上の１ＲＥグループにマッピングして伝送し、前記１ＲＥグループにＮ個のＲＥが含まれ；前記Ｎは直交シーケンス長である。
【０２１９】
好ましくは、決定された時間領域に占有されるリソースに複数のシンボルが含まれる場合、前記送受信機１４１は、各々シンボルにおいて長さがＮである直交シーケンスを用いて周波数領域拡散を行う。または、前記送受信機１４１は、時間領域において、長さがＢである直交シーケンスを用いて時間領域拡散を行い、前記Ｂは、時間領域に占有されるリソースに含まれるシンボル数のうちの、データ伝送に用いられるシンボル数である。または、前記送受信機１４１は、各々シンボル上において、長さがＮである直交シーケンスを用いて周波数領域拡散を行い、かつ、前記送受信機１４１は、時間領域において、長さがＢである直交シーケンスを用いて時間領域拡散を行い、前記Ｂは、時間領域に占有されるリソースに含まれるシンボル数のうちの、データ伝送に用いられるシンボル数である。
【０２２０】
好ましくは、前記送受信機１４１により伝送されるアップリンク制御情報に特定なシーケンスが含まれ、前記特定なシーケンスは前記装置的識別子（ＩＤ）と関連し、少なくとも、他のネットワークエレメントが前記装置を識別すること、及び、前記装置への干渉を測定することに用いられる。
【０２２１】
ここで、図１４において、バスアーキテクチャは、いずれ数の相互接続するバス及びブリッジを備える。具体的に、プロセッサ１４０が代表となる１つまたは複数のプロセッサ及びメモリが代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１４１は、複数の部品であることができ、即ち、送信機及び受信機を備え、伝送媒体を介して他の装置と通信するユニットを提供する。異なるユーザー設備に対し、ユーザーインターフェースは、外部接続または内部接続に必要な設備のインターフェースであることもできる。接続する設備は、キーパッド、ディスプレー、スピーカー、マイクロホン、ジョイスティック等を備えるが、これに限られない。
【０２２２】
プロセッサ１４０は、バスアーキテクチャ及び通常の処理を監視し、メモリは、プロセッサ１４０が動作する際に利用するデータを記憶することができる。
【０２２３】
要約すると、本発明に係る実施例において、端末がアップリンク制御情報を伝送するリソースを決定する必要があり、前記リソースは、時間領域に占有されるリソース及び周波数領域に占有されるリソースを含む。前記時間領域に占有されるリソースの長さが１ｍｓより小さい。そして、端末は決定されたリソースにおいてアップリンク制御情報を伝送する。こうして、短縮されたＴＴＩに対し（即ち、ｓｈｏｒｔｅｎｅｄ ＴＴＩ），アップリンク制御情報の伝送案を提供し、アップリンク制御情報の通常のフィードバックをサポートし、システム性能を確保する。
【０２２４】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０２２５】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０２２６】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２２７】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０２２８】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２２９】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０２３０】
本出願は、２０１６年２月２日に中国特許局に提出し、出願番号が２０１６１００７４２７８.２であり、発明名称が「アップリンク制御情報の伝送方法及び装置」との中国特許出願を基礎とする優先権を主張し、その開示の総てをここに取り込む。
【符号の説明】
【０２３１】
１３０  処理ユニット
１３１  通信ユニット
１４０  プロセッサ
１４１  送受信機
【図１】
2019510393.tif 000003
【図２】
2019510393.tif 000004
【図３】
2019510393.tif 000005
【図４】
2019510393.tif 000006
【図５】
2019510393.tif 000007
【図６】
2019510393.tif 000008
【図７】
2019510393.tif 000009
【図８】
2019510393.tif 000010
【図９】
2019510393.tif 000011
【図１０】
2019510393.tif 000012
【図１１】
2019510393.tif 000013
【図１２】
2019510393.tif 000014
【図１３】
2019510393.tif 000015
【図１４】
2019510393.tif 000016
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
端末がアップリンク制御情報を伝送するリソースを決定するステップであって、前記リソースは、時間領域に占有されるリソース及び周波数領域に占有されるリソースを含み、前記時間領域に占有されるリソースの長さが１ｍｓより小さい前記決定ステップと、
前記端末は決定されたリソースにおいてアップリンク制御情報を伝送するステップとを備えることを特徴とするアップリンク制御情報の伝送方法。
【請求項２】
端末により決定されたアップリンク制御情報を伝送するリソースにおいて、周波数領域に占有されるリソースのサイズはサブキャリアＳＣ数により示され、または、リソースエレメントＲＥ数で示され、またはリソースユニット（ＲＵ）数で示され、ここで、ＲＵで示される場合、ＲＵは、事前に定義した時間領域においてＸ１個のシンボルを占有し、周波数領域においてＸ２個のＳＣまたはＲＥを占有するリソース領域であり、前記Ｘ２個のＳＣまたはＲＥは連続であるか非連続であり、前記Ｘ１及びＸ２は事前に定義されたものであるか設定されたものであり、Ｘ１、Ｘ２は０より大きい整数であり、
端末により決定されたアップリンク制御情報を伝送するリソースにおいて、前記時間領域に占有されるリソースのサイズはシンボル数または期間長で示され、
及び/または、
端末は、前記周波数領域に占有されるリソースのサイズを、固定的に設定したＡ１個のＳＣ、または、Ａ２個のＲＥ、またはＡ３個のＲＵとして決定し、ここで、Ａ１、Ａ２、Ａ３は０より大きい整数であり、または、端末は、シグナリング通知により、前記周波数領域に占有されるリソースのサイズを決定し、また、端末は、事前約定により前記周波数領域に占有されたソース位置を決定し、または、端末は、シグナリング通知により前記周波数領域に占有されるリソース位置を決定し、
端末は、前記時間領域に占有されるリソースのサイズを固定的に設定したＢ１個のシンボルまたはＢ２ｍｓに決定し、前記Ｂ１は０より大きい整数であり、Ｂ２は１より小さい小数であり、または、端末は、シグナリング通知により時間領域に占有されるリソースのサイズを決定し、また、端末は、事前約定により前記時間領域に占有されたソース位置を決定し、または、端末は、シグナリング通知により前記時間領域に占有されるリソース位置を決定することを特徴とする請求項１に記載のアップリンク制御情報の伝送方法。
【請求項３】
前記端末がアップリンク制御情報を伝送するリソースを決定するのは、
前記端末は、ダウンリンク・グラント・シグナリング（ＤＬ ｇｒａｎｔ）の通知によりアップリンク制御情報を伝送するリソースを決定し、前記ＤＬ ｇｒａｎｔに用いられるダウンリンク制御情報（ＤＣＩ）内の指示フィールドは、高位層シグナリングにより事前に設定した複数のリソース集合のうちの１つを示し、または、
前記端末は、アップリンク・グラント・シグナリング（ＵＬ ｇｒａｎｔ）の通知によりアップリンク制御情報を伝送するリソースを決定し、前記ＵＬ ｇｒａｎｔに用いられるＤＣＩ内の第１指示フィールドは周波数領域に占有されるリソースのサイズ及び位置を示し、第２指示フィールドは少なくとも時間領域に占有されるリソースのサイズを示し、または、
前記端末は、高位層シグナリングの通知によりアップリンク制御情報を伝送するリソースを決定し、前記高位層シグナリングにより少なくとも１つのリソース集合を設定し、２つ以上のリソース集合を設定する場合、端末はそのうちの１つのリソース集合を選出することを特徴とする請求項１または請求項２に記載のアップリンク制御情報の伝送方法。
【請求項４】
前記第２指示フィールドは、さらに、時間領域に占有されるリソース位置を示し、または、
時間領域に占有されるリソース位置は事前約定された位置であることを特徴とする請求項３に記載のアップリンク制御情報の伝送方法。
【請求項５】
前記リソース集合の設定は以下とおりであり、
リソース集合ごとに、周波数領域に占有されるリソースのサイズ、位置及び時間領域に占有されるリソースのサイズが含まれ、ここで、異なるリソース集合内の周波数領域に占有されたリソースのサイズ同様であるか異なり、及び/または、異なるリソース集合内の時間領域に占有されるリソースのサイズは同様であるか異なり、または、
周波数領域に占有されるリソースのサイズは端末側とネットワーク側の交渉により決めた固定値であり、リソース集合ごとに、周波数領域に占有されるリソース位置及び時間領域に占有されるリソースのサイズが含まれ、ここで、異なるリソース集合内の時間領域に占有されるリソースのサイズは同様であるか異なり、または、
時間領域に占有されるリソースのサイズは端末側とネットワーク側の交渉により決めた固定値であり、リソース集合ごとに、周波数領域に占有されるリソースのサイズ及び位置が含まれ、ここで、異なるリソース集合内の周波数領域に占有されるリソースのサイズは同様であるか異なり、または、
時間領域に占有されるリソースのサイズは端末側とネットワーク側の交渉により決めた固定値であり、周波数領域に占有されるリソースのサイズは端末側とネットワーク側の交渉により決めた固定値であり、リソース集合ごとに、周波数領域に占有されるリソース位置が含まれることを特徴とする請求項３に記載のアップリンク制御情報の伝送方法。
【請求項６】
リソース集合ごとに時間領域に占有されるリソース位置が含まれ、または、時間領域に占有されるリソース位置は事前約定された位置であることを特徴とする請求項５に記載のアップリンク制御情報の伝送方法。
【請求項７】
前記端末がそのうちの１つのリソース集合を選出する場合、
前記端末は、現在フィードバックすべきアップリンク制御情報のトータルビット数、及び各々リソース集合が特定なコードレートートにより算出した搬送可能な最大ビット数に基づき、選出されたリソース集合を決定し、 または、
異なるリソース集合に含まれる時間領域に占有されるリソースのサイズが異なる場合、前記端末は、各々リソース集合に含まれる時間領域に占有されるリソースのサイズに基づき、選出されたリソース集合を決定し、または、
前記端末は、リソース集合内のシンボル数に基づき、選出されたリソース集合を決定することを特徴とする請求項３に記載のアップリンク制御情報の伝送方法。
【請求項８】
時間領域に占有されるリソース位置が事前約定された位置でありかつ、アップリンク制御情報が正確/エラーＡＣＫ/ＮＡＣＫフィードバック情報である場合、
端末は、時間領域に占有されるリソースの開始位置を、インデックスがｎ+ｋである時間帯における１番目のシンボルとして決定し前記ｎは、ＡＣＫ/ＮＡＣＫフィードバックすべきダウンリンクデータ伝送を行う時間帯のインデックスであり、ｋは所定の値であり、ｎ及びｋは、０より大きいか、等しい整数であり、
または、端末は、時間領域に占有されるリソースの開始位置を、ＡＣＫ/ＮＡＣＫフィードバックすべきダウンリンクデータ伝送を行う事前に分割されたダウンリンク伝送のための時間帯後の第ｋ番目の事前に分割されたアップリンク伝送のための時間帯における１番目のシンボルとして、決定し、ｋは所定の値であり、ｋは０より大きいか等しい整数であり、
または、端末は、時間領域に占有されるリソースの開始位置と、所定のタイミング関係を満足する１番目のシンボルとして、決定し、前記シンボルは、アップリンク送信時間帯におけるシンボルであり、
または、端末は、時間領域に占有されるリソースの開始位置を、所定のタイミング関係を満足する１つのアップリンク送信時間帯における１番目のシンボルとして、決定し、ここで、前記タイミング関係を満足するのかは、１つのダウンリンクデータ伝送に用いられる最後１つのシンボルと、１つのアップリンク送信時間帯における１番目のシンボルの間のシンボル間隔により、決定され、ここで、前記タイミング関係は処理遅延であり、前記処理遅延は、ダウンリンクデータ分析・処理時間と、ダウンリンクデータに対応するＡＣＫ/ＮＡＣＫフィードバック情報を生成するための時間とを含み、ここで、１つのダウンリンクデータの伝送終了時刻を基準とし、そのＡＣＫ/ＮＡＣＫフィードバック情報は、前記処理遅延を満足するアップリンクシンボルにおいて伝送され、
時間領域に占有されるリソース位置が事前約定された位置であり、かつ、アップリンク制御情報が周期チャネル状態（ＣＳＩ）フィードバック情報である場合、
前記端末は、所定のＣＳＩフィードバック周期に基づき、時間領域に占有されるリソースの開始シンボル位置を決定し、前記周期はＹ１個のシンボルであり、Ｙ１は正整数であり、または、
前記端末は、所定のＣＳＩフィードバック周期に基づき、前記ＣＳＩフィードバック周期に対応する伝送ＣＳＩのサブフレーム内の所定のアップリンクシンボル位置を、時間領域に占有されるリソースの開始シンボル位置として決定し、前記ＣＳＩフィードバック周期はＹ２個のサブフレームであり、Ｙ２は正整数であることを特徴とする請求項１ないし請求項７のいずれか１項に記載のアップリンク制御情報の伝送方法。
【請求項９】
端末が決定されたリソースにおいてアップリンク制御情報を伝送するのは、
前記端末非拡散モードで決定されたリソースにおいてアップリンク制御情報を伝送し、
または、前記端末は、拡散モードで決定されたリソースにおいてアップリンク制御情報を伝送することを特徴とする請求項１ないし請求項８のいずれか１項に記載のアップリンク制御情報の伝送方法。
【請求項１０】
非拡散モードで決定されたリソースにおいてアップリンク制御情報を伝送するのは、
決定されたリソースにおけるデータ伝送用のＲＥ数及び用いられる変調・エンコーディング方式でエンコーディングビット数を決定し、前記エンコーディングビット数に基づき、アップリンク制御情報に対しチャネルエンコーディング及びレートマッチングを行い、対応の変調シンボルを得、
得られた変調シンボルを、特定の順番に従って前記リソースにマッピングして伝送し、
拡散モードで決定されたリソースにおいてアップリンク制御情報を伝送するのは、決定されたリソースにおけるデータ伝送用のＲＥ数、拡散シーケンス長さ及び用いられる変調・エンコーディング方式でエンコーディングビット数を決定し、前記エンコーディングビット数に基づき、アップリンク制御情報に対しチャネルエンコーディング及びレートマッチングを行い、対応の変調シンボルを得、
得られた各々変調シンボルと長さがＮである直交シーケンスを掛け算して、拡散された後の長さがＮである変調シンボルを得、前記長さがＮである変調シンボルを、前記リソース内の１シンボル上の１ＲＥグループにマッピングして伝送し、
前記１ＲＥグループにＮ個のＲＥが含まれ、前記Ｎは直交シーケンス長であることを特徴とする請求項９に記載のアップリンク制御情報の伝送方法。
【請求項１１】
前記端末により決定された時間領域に占有されるリソースに複数のシンボルが含まれ、かつ、前記アップリンク制御情報が前記決定されたリソースにおいて拡散モードで伝送される場合、
前記端末は、各々シンボルにおいて長さがＮである直交シーケンスを用いて周波数領域拡散を行い、または、前記端末は、時間領域において長さがＢである直交シーケンスを用いて時間領域拡散を行い、前記Ｂは、時間領域に占有されるリソースに含まれるシンボル数のうちの、データ伝送に用いられるシンボル数であり、Ｎ及びＢのいずれも１より大きいか等しい整数であり、または、前記端末は、各々シンボルにおいて長さがＮである直交シーケンスを用いて周波数領域拡散を行い、かつ、端末は、時間領域において長さがＢである直交シーケンスを用いて時間領域拡散を行い、前記Ｂは、時間領域に占有されるリソースに含まれるシンボル数のうちの、データ伝送に用いられるシンボル数であり、Ｎ及びＢは１より大きいか等しい整数であることを特徴とする請求項１０に記載のアップリンク制御情報の伝送方法。
【請求項１２】
アップリンク制御情報を伝送するリソースを決定し、前記リソースは、時間領域に占有されるリソース及び周波数領域に占有されるリソースを含み、前記時間領域に占有されるリソースの長さが１ｍｓより小さい処理ユニットと、
決定されたリソースにおいてアップリンク制御情報を伝送する通信ユニットと
を備えることを特徴とするアップリンク制御情報の伝送装置。
【請求項１３】
前記処理ユニットにより決定されたアップリンク制御情報を伝送するリソースにおいて、周波数領域に占有されるリソースのサイズはサブキャリアＳＣ数により示され、または、リソースエレメントＲＥ数で示され、またはリソースユニット（ＲＵ）数で示され、
ＲＵで示される場合、ＲＵは、事前に定義した時間領域においてＸ１個のシンボルを占有し、周波数領域においてＸ２個のＳＣまたはＲＥを占有するリソース領域であり、前記Ｘ２個のＳＣまたはＲＥは連続であるか非連続であり、前記Ｘ１及びＸ２は事前に定義されたものであるか設定されたものであり、Ｘ１、Ｘ２は０より大きい整数であり、
前記処理ユニットにより決定されたアップリンク制御情報を伝送するリソースにおいて、前記時間領域に占有されるリソースのサイズはシンボル数または期間長で示され、
前記処理ユニットは、前記周波数領域に占有されるリソースのサイズが固定的に設定したＡ１個のＳＣ、または、Ａ２個のＲＥ、または、Ａ３個のＲＵであることを決定し、ここで、Ａ１、Ａ２、Ａ３は０より大きい整数であり、
または、前記処理ユニットは、シグナリング通知により前記周波数領域に占有されるリソースのサイズを決定し、また、前記処理ユニットは、事前約定により前記周波数領域に占有されたソース位置を決定し、
または、前記処理ユニットは、シグナリング通知により前記周波数領域に占有されるリソース位置を決定し、
前記処理ユニットは、前記時間領域に占有されるリソースのサイズが固定的に設定したＢ１個のシンボルまたはＢ２ｍｓであることを決定し、前記Ｂ１は０より大きい整数であり、Ｂ２は１より小さい小数であり、
または、前記処理ユニットは、シグナリング通知により、前記時間領域に占有されるリソースのサイズを決定し、また、前記処理ユニットは、事前約定により前記時間領域に占有されたソース位置を決定し、
または、前記処理ユニットは、シグナリング通知により前記時間領域に占有されるリソース位置を決定することを特徴とする請求項１２に記載のアップリンク制御情報の伝送装置。
【請求項１４】
前記処理ユニットは、
ダウンリンク・グラント・シグナリング（ＤＬ ｇｒａｎｔ）の通知によりアップリンク制御情報を伝送するリソースを決定し、前記ＤＬ ｇｒａｎｔに用いられるダウンリンク制御情報（ＤＣＩ）内の指示フィールドは、高位層シグナリングにより事前に設定した複数のリソース集合のうちの１つを示し、
または、アップリンク・グラント・シグナリング（ＵＬ ｇｒａｎｔ）の通知によりアップリンク制御情報を伝送するリソースを決定し、前記ＵＬ ｇｒａｎｔに用いられるＤＣＩ内の第１指示フィールドは周波数領域に占有されるリソースのサイズ及び位置を示し、第２指示フィールドは少なくとも時間領域に占有されるリソースのサイズを示し、
または、高位層シグナリングの通知によりアップリンク制御情報を伝送するリソースを決定し、前記高位層シグナリングにより少なくとも１つのリソース集合を設定し、２つ以上のリソース集合を設定する場合、前記処理ユニットは、そのうちから１つのリソース集合を選出することを特徴とする請求項１２または請求項１３に記載のアップリンク制御情報の伝送装置。
【請求項１５】
前記第２指示フィールドは、時間領域に占有されるリソース位置を示し、または、
時間領域に占有されるリソース位置は事前約定された位置であることを特徴とする請求項１４に記載のアップリンク制御情報の伝送装置。
【請求項１６】
前記リソース集合の設定は以下とおりであり、
リソース集合ごとに、周波数領域に占有されるリソースのサイズ、位置及び時間領域に占有されるリソースのサイズが含まれ、ここで、異なるリソース集合内の周波数領域に占有されたリソースのサイズ同様であるか異なり、及び/または、異なるリソース集合内の時間領域に占有されるリソースのサイズは同様であるか異なるか、または、
周波数領域に占有されるリソースのサイズは端末側とネットワーク側の交渉により決めた固定値であり、リソース集合ごとに、周波数領域に占有されるリソース位置及び時間領域に占有されるリソースのサイズが含まれ、ここで、異なるリソース集合内の時間領域に占有されるリソースのサイズは同様であるか異なるか、または、
時間領域に占有されるリソースのサイズは端末側とネットワーク側の交渉により決めた固定値であり、リソース集合ごとに、周波数領域に占有されるリソースのサイズ及び位置が含まれ、ここで、異なるリソース集合内の周波数領域に占有されるリソースのサイズは同様であるか異なるか、または、
時間領域に占有されるリソースのサイズは端末側とネットワーク側の交渉により決めた固定値であり、周波数領域に占有されるリソースのサイズは端末側とネットワーク側の交渉により決めた固定値であり、リソース集合ごとに、周波数領域に占有されるリソース位置が含まれることを特徴とする請求項１４に記載のアップリンク制御情報の伝送装置。
【請求項１７】
リソース集合ごとに時間領域に占有されるリソース位置が含まれ、または、時間領域に占有されるリソース位置は事前約定された位置であることを特徴とする請求項１６に記載のアップリンク制御情報の伝送装置。
【請求項１８】
前記処理ユニットは、
現在フィードバックすべきアップリンク制御情報のトータルビット数、及び各々リソース集合が特定なコードレートートにより算出した搬送可能な最大ビット数に基づき、選出されたリソース集合を決定するか、または、
異なるリソース集合に含まれる時間領域に占有されるリソースのサイズが異なる場合、おのおのリソース集合に含まれる時間領域に占有されるリソースのサイズに基づき、選出されたリソース集合を決定するか、または、
リソース集合内のシンボル数に基づき、選出されたリソース集合を決定することを特徴とする請求項１４に記載のアップリンク制御情報の伝送装置。
【請求項１９】
時間領域に占有されるリソース位置が事前約定された位置であり、かつ、アップリンク制御情報が正確/エラーＡＣＫ/ＮＡＣＫフィードバック情報である場合、
前記処理ユニットは、時間領域に占有されるリソースの開始位置を、インデックスがｎ+ｋである時間帯における１番目のシンボルとして決定し、前記ｎは、ＡＣＫ/ＮＡＣＫフィードバックすべきダウンリンクデータ伝送を行う時間帯のインデックスであり、ｋは所定の値であり、ｎ及びｋは、０より大きいか、等しい整数であり、
または、前記処理ユニットは、時間領域に占有されるリソースの開始位置を、ＡＣＫ/ＮＡＣＫフィードバックすべきダウンリンクデータ伝送を行う事前に分割されたダウンリンク伝送のための時間帯後の第ｋ番目の事前に分割されたアップリンク伝送のための時間帯における１番目のシンボルとして決定し、ｋは所定の値であり、ｋは０より大きいか等しい整数であり、
または、前記処理ユニットは、時間領域に占有されるリソースの開始位置を、所定のタイミング関係を満足する１番目のシンボルとして決定し、前記シンボルは、アップリンク送信時間帯におけるシンボルであり、
または、前記処理ユニットは、時間領域に占有されるリソースの開始位置と、所定のタイミング関係を満足する１つのアップリンク送信時間帯における１番目のシンボルとして決定し、ここで、前記タイミング関係を満足するのかは、１つのダウンリンクデータ伝送に用いられる最後１つのシンボルと、１つのアップリンク送信時間帯における１番目のシンボルの間のシンボル間隔により、決定され、前記タイミング関係は処理遅延であり、前記処理遅延は、ダウンリンクデータ分析・処理時間と、ダウンリンクデータに対応するＡＣＫ/ＮＡＣＫフィードバック情報を生成するための時間とを含み、ここで、１つのダウンリンクデータの伝送終了時刻を基準とし、そのＡＣＫ/ＮＡＣＫフィードバック情報は、前記処理遅延を満足するアップリンクシンボルにおいて伝送され、
時間領域に占有されるリソース位置が事前約定された位置であれば、かつ、アップリンク制御情報が周期チャネル状態（ＣＳＩ）フィードバック情報である場合、前記処理ユニットは、所定のＣＳＩフィードバック周期に基づき、時間領域に占有されるリソースの開始シンボル位置を決定し、ここで、前記周期はＹ１個のシンボルであり、Ｙ１は正整数であり、
または、所定のＣＳＩフィードバック周期に基づき、前記ＣＳＩフィードバック周期に対応する伝送ＣＳＩのサブフレーム内の所定のアップリンクシンボル位置を、時間領域に占有されるリソースの開始シンボル位置として決定し、前記ＣＳＩフィードバック周期はＹ２個のサブフレームであり、Ｙ２は正整数であることを特徴とする請求項１２ないし請求項１８のいずれかの１項に記載のアップリンク制御情報の伝送装置。
【請求項２０】
前記通信ユニットは、
非拡散モードで決定されたリソースにおいてアップリンク制御情報を伝送するか、または、
拡散モードで決定されたリソースにおいてアップリンク制御情報を伝送することを特徴とする請求項１２ないし請求項１９のいずれか１項に記載のアップリンク制御情報の伝送装置。
【請求項２１】
非拡散モードで決定されたリソースにおいてアップリンク制御情報を伝送する場合、前記通信ユニットは、
決定されたリソースにおけるデータ伝送用のＲＥ数及び用いられる変調・エンコーディング方式でエンコーディングビット数を決定し、前記エンコーディングビット数に基づき、アップリンク制御情報に対しチャネルエンコーディング及びレートマッチングを行い、対応の変調シンボルを得、
得られた変調シンボルを、特定の順番に従って前記リソースにマッピングして伝送し、
拡散モードで決定されたリソースにおいてアップリンク制御情報を伝送する場合、前記通信ユニットは、
決定されたリソースにおけるデータ伝送用のＲＥ数、拡散シーケンス長さ及び用いられる変調・エンコーディング方式でエンコーディングビット数を決定し、前記エンコーディングビット数に基づき、アップリンク制御情報に対しチャネルエンコーディング及びレートマッチングを行い、対応の変調シンボルを得、
得られた各々変調シンボルと長さがＮである直交シーケンスを掛け算して、拡散された後の長さがＮである変調シンボルを得、前記長さがＮである変調シンボルを、前記リソース内の１シンボル上の１ＲＥグループにマッピングして伝送し、前記１ＲＥグループにＮ個のＲＥが含まれ、前記Ｎは直交シーケンス長であることを特徴とする請求項２０に記載のアップリンク制御情報の伝送装置。
【請求項２２】
決定された時間領域に占有されるリソースに複数のシンボルが含まれ、且つ、前記アップリンク制御情報が前記決定されたリソースにおいて拡散モードで伝送される場合、前記通信ユニットは、
各々シンボルにおいて長さがＮである直交シーケンスを用いて周波数領域拡散を行い、
または、時間領域において、長さがＢである直交シーケンスを用いて時間領域拡散を行い、前記Ｂは、時間領域に占有されるリソースに含まれるシンボル数のうちの、データ伝送に用いられるシンボル数であり、Ｎ及びＢのいずれも１より大きいか等しい整数であり、
または、各々シンボル上において、長さがＮである直交シーケンスを用いて周波数領域拡散を行い、かつ、時間領域において、長さがＢである直交シーケンスを用いて時間領域拡散を行い、前記Ｂは、時間領域に占有されるリソースに含まれるシンボル数のうちの、データ伝送に用いられるシンボル数であり、Ｎ及びＢのいずれも１より大きいか等しい整数であることを特徴とする請求項２１に記載のアップリンク制御情報の伝送装置。
【国際調査報告】
2019510393.tif 000017
2019510393.tif 000018
2019510393.tif 000019
2019510393.tif 000020